(57)【要約】【課題】車や家の屋根、農業用ビニールハウスの表面や活火山の噴火に伴う火山灰、農家や家庭菜園における作物の周囲の土壌に堆積する霜を簡単に除去する堆積物除去用ロールシート具を提供する。【解決手段】対象物に堆積した堆積物をこの対象物から除去する堆積物除去用ロールシート具１であって、使用者が１人で持ち運び可能な大きさからなり、ロール状に巻かれたロール体の形態をなす堆積物除去シート１００と、ロール体を収容可能なロール体収容部２０を備え、ロール体収容部からロール体として巻かれた堆積物除去シートを巻き解して一定の長さだけ展開させた状態の堆積物除去シートが、堆積物から保護すべき対象物の所定領域の表面に密着した状態でこの対象物に被さり、かつ対象物に被さった堆積物除去シートごとに堆積物を対象物から除去できる。【選択図】図１
2017056807.tif 000002
【特許請求の範囲】
【請求項１】
対象物に堆積した堆積物をこの対象物から除去する堆積物除去用ロールシート具であって、使用者が１人で持ち運び可能な大きさからなり、
前記堆積物除去用ロールシート具は、ロール状に巻かれたロール体の形態をなす堆積物除去シートと、前記ロール体を収容可能なロール体収容部を備え、
前記ロール体収容部から前記ロール体として巻かれた堆積物除去シートを巻き解して一定の長さだけ展開させた状態の堆積物除去シートが、前記堆積物から保護すべき対象物の所定領域の表面に密着した状態でこの対象物に被さるようになっており、かつ前記対象物に被さった堆積物除去シートごと前記堆積物を前記対象物から除去可能なことを特徴とする堆積物除去用ロールシート具。
【請求項２】
前記堆積物除去用ロールシート具のロール体収容部には、前記堆積物除去シートを所定の大きさに展開した状態で当該ロール体収容部から分離するための切断手段が備わっていることを特徴とする請求項１に記載の堆積物除去用ロールシート具。
【請求項３】
前記堆積物除去用ロールシート具は、降り積もった雪、堆積した火山灰、堆積した黄砂、堆積した粉塵の何れかからなる堆積物を対象物から除去することを特徴とする請求項１又は請求項２に記載の堆積物除去用ロールシート具。
【請求項４】
前記堆積物除去シートが、前記対象物として車に適用可能なことを特徴とする請求項３に記載の堆積物除去用ロールシート具。
【請求項５】
前記堆積物除去シートが、前記対象物として家屋の屋根や屋上に設置された太陽光発電パネルに適用可能であることを特徴とする請求項３に記載の堆積物除去用ロールシート具。
【請求項６】
前記堆積物除去シートが、前記対象物として支柱やフレームとビニールでできた農業用ビニールハウスに適用可能であることを特徴とする請求項３に記載の堆積物除去用ロールシート具。
【請求項７】
前記堆積物除去シートが、畑や家庭菜園の土壌の表面に被せることができ、前記畑や家庭菜園の土壌の表面に積もった堆積物である霜を当該堆積物除去シートごと除去可能であることを特徴とする請求項１又は請求項２に記載の堆積物除去用ロールシート具。
【請求項８】
前記堆積物除去用ロールシート具の材質は、耐熱性に優れた樹脂材でできていることを特徴とする請求項１乃至請求項７の何れかに記載の堆積物除去用ロールシート具。
【請求項９】
前記堆積物除去用ロールシート具は、これ自体を前記対象物又は該対象物の周囲に取り付けて固定可能とする取り付け部が備わっていることを特徴とする請求項２に記載の堆積物除去用ロールシート具。
【発明の詳細な説明】
【技術分野】
【０００１】
本発明は、冬期における車や家の屋根に降り積もる（以下、適宜「堆積する」とする）雪、風の強い時期における車や家の屋根に堆積する粉塵や黄砂、活火山の噴火に伴って広範囲に飛散して車や家の屋根に堆積する火山灰、及び冬期における農業用ビニールハウスの表面や、畑、家庭菜園における作物及びその周囲の土壌に堆積する雪や粉塵、火山灰、冬期に畑や家庭菜園の地面に付着して堆積する霜を簡単に除去することができる堆積物除去用ロールシート具に関する。
【背景技術】
【０００２】
近年地球規模の気象変動に伴って、わが国も夏場は極端に暑く冬場は極端に寒いと言う気象状態になりつつある。そして、わが国の日本海側では冬場の降雪による積雪量が増加すると共に、太平洋側の例えば都市部においても南岸に沿った低気圧の通過に伴い突然かなりの量の降雪に見舞われることがある。このような降雪によって家屋の屋根に雪が堆積物として多量に積雪するのを防止する技術が知られている（例えば、特許文献１参照）。
【０００３】
また、近年我が国では、全国の様々な地域における火山活動の活発化により、予期せぬ時期に火山が噴火や水蒸気爆発（以下、適宜「噴火」とする）して火山灰がその周辺地域に降り積もることが懸念されている。このような火山灰の堆積に対応するための技術が知られている（例えば、特許文献２及び特許文献３参照）。
【０００４】
また、上述したようなことに加えて、季節や居住している場所の周囲の環境によって風が強い時に周囲の細かい粉塵が飛散してきたり、特定の時期に黄砂が飛来したりしている。このような細かい粉塵や黄砂が降り注いで農家のビニールハウスや家庭菜園の作物に影響を及ぼさないようにしたり作物の乾燥や霜から受ける影響を防止したりする技術が知られている（例えば、特許文献４及び特許文献５参照）。
【先行技術文献】
【特許文献】
【０００５】
【特許文献１】特開２００８−３１８３３号公報
【特許文献２】特開２００６−７８４５９号公報
【特許文献３】特開平７−７１０２０号公報
【特許文献４】特開２００２−２８４４５３号公報
【特許文献５】特開平１１−３２５９７号公報
【発明の概要】
【発明が解決しようとする課題】
【０００６】
第１の背景技術として説明した雪が堆積物として屋外に駐車している車や家屋の屋根、この屋根に設置した太陽光発電パネルに多量に降り積もった（以下、適宜「堆積した」又は「降り積もった」とする）場合の問題点について説明する。
【０００７】
近年の気象変動により冬場において定常的に雪が降る日本海側の地域だけでなく、太平洋側の地域においても南岸に沿って低気圧が通過することにより思わぬ積雪に見舞われることがある。このような場合、屋根のない駐車場に止めている車にかなりの量の雪が降り積もって堆積物として積雪する。この際、例えば朝の通勤時等で急いでいると、車に積もった雪のうちフロントガラスやリアガラスのみに積もった雪のみを非常に冷たい思いをしながら手先で取り除き、車を運転することになる。
【０００８】
このように車に雪の塊がかなり堆積した状態で車を運転しようとすると、見栄えが悪いだけでなく、赤信号等で急に停止する際に車のルーフの上に堆積した雪の堆積物がフロントガラスに滑り落ちてきてドライバーの視界を妨げ、安全運転に支障を生じる虞がある。
【０００９】
また、手袋をはめながら手だけで車に降り積もって堆積した雪全体を取り除こうとするとかなりの時間を要するために、車の上に堆積した雪の除去を短時間で済ませようとプラスチックのスコップや木の板で雪を一気に払いのけると、気がつかない間に車のボディーに傷がついてしまい車の外観を著しく損なってしまう虞もある。
【００１０】
一方、車に降り積もって堆積する雪の問題とは別に、冬場に雪が常に降り積もる地域においては、家の屋根に降り積もって多量に堆積する雪をそのまま放置しないようにするために定常的に雪下ろしを行うことが必要とされている。特に北日本の豪雪地帯においては、所謂屋根の雪かきを定期的に行っていないと、数日雪が降り積もるだけで屋根の上に雪が大量に堆積していき、この雪の重みで屋根の一部が破損する場合がある。また、大量に堆積していく雪自体の重みにより雪が圧縮された状態で屋根上に積雪したりしてしまう。このような状態を放置すると、あたかも表層雪崩のように屋根の斜面に沿って一気に雪が滑り落ちることがある。特に屋根の軒先が歩道や車道の場合、偶然通りかかる歩行者や自転車にこの滑り落ちてきて雪が不意にぶつかったり、自動車の直前に多量の雪が滑り落ちたりして運転者が運転を誤って事故を誘発するようなことも考えられる。
【００１１】
一方、屋根の上の雪かきを頻繁に行っていれば上述のような問題は解決される。しかしながら、悪天候下において例えば一階の屋根のみならず二階の屋根にまで頻繁に登って極めて滑り易く足場の悪い屋根の上でその都度スコップ等を用いて雪下ろしをすることに関してはかなりの危険性をはらんでいる。
【００１２】
具体的には、二階の屋根の雪かき中に足を滑らしたり足場を踏み外して屋根から転落して大ケガを負ったり、スコップ等を用いて長時間無理な姿勢で雪下ろし作業を行うことで腰や手足を痛めてしまったりする虞がある。
【００１３】
また、家屋の屋根に太陽光発電パネルを設置している場合、このパネルの太陽光受光面全体に雪が降り積もって堆積したままとなると、高いコストをかけて設置した太陽光発電パネルによる発電が不可能となり、初期投資に多大な金額を要する太陽光発電パネルを屋根に設置したメリットが激減する。これは通常さほど雪が降らない地域においても近年の気象変動によりかなりの降雪がある関係上、見過ごすことができない問題である。
【００１４】
また、このような太陽光発電パネルの上面全体に湿った大量の雪が降り積もった後、氷状に固まった堆積物になると、太陽光発電パネルを屋根に固定する支持ブラケット等の支持部に通常の設計寸法では強度上耐え切れない多大な応力集中が生じ、この支持部が破損し太陽光発電パネル自体は屋根から滑り落ちてしまう虞がある。このような事態を招くと、せっかく設置した高価な太陽光発電パネル自体がもはや再使用不可能となってしまい、重大な損害を被る。
【００１５】
なお、特許文献１において開示された内容は、家の屋根のかなりの広い部分に被せる雪下ろしシートであってそれ自体発熱体を全面に有している構造の雪下ろしシートに関するものに過ぎない。
【００１６】
続いて、第２の背景技術として活火山の噴火や水蒸気爆発により広範囲に飛散した火山灰が屋外に駐車している車や家屋の屋根、この屋根に設置した太陽光発電パネルに堆積物として大量に堆積した場合の問題点について説明する。
【００１７】
近年の全国各地の火山活動の活発化により、活火山の噴火は何時どこで生じるか分からない状況にある。そして、或る場所の活火山が一旦噴火すると、その活火山の周辺地域では、その後の頻発に生じる地震や火山灰が降り続けることによってその周辺の道路状況が極端に悪化してしまう。そのため、このような地域に居住する住民は、火山活動に伴う避難警報の発令により公共の車等で近くの避難所に避難する必要がある。
【００１８】
火山活動が激しい場合、たまたまその地域のホテルや旅館に宿泊していた客や、その地域の居住者の自宅を訪問していた親戚、知人や友人も、自分たちの車をその場に止めたまま、一時的に近くの避難所に公共の車を利用して避難することも必要となってくる。
【００１９】
上述のように火山活動が激しくなり、一時的な避難であってもその間に自宅やホテル、旅館、訪問先等に車を長期間放置したままとしておくと、多量の火山灰が車に降り積もって堆積してしまう。火山活動はあまり激しくない場合であってもこのような避難生活が長期にわたると同様の問題が生じる。
【００２０】
活火山の噴火や水蒸気爆発によって周囲の広範囲な地域に降り注ぐ火山灰は、一般的に例えばケイ素や酸化アルミニウムからなる火山ガラス（細かいガラス体）でできているので、その火山灰の各粒子それぞれが粒の大きい研磨剤のようなものである。そのため、火山活動の沈静化に伴い警戒警報が解除された場合、元にいた場所に戻って車の上に積もった火山灰を取り去ろうとする際、この火山灰の降り積もった堆積物を手や布切れ等で無理に取り除こうとすると、車のボンネット、ルーフパネル、トランクリッド等の塗装面や、フロントガラス、リアガラスの表面に細かい傷をつけてしまい、火山灰が堆積した車の上面が全体的に傷だらけになってしまう。
【００２１】
一旦、このような傷が付くと、車のパネルの上面部分を全て塗装し直さなければならなかったり、フロントガラスやリアガラスを交換したりしなければならなかったりするため、新車や高級車の場合、特に大きな損害を被る。
【００２２】
このような問題は、火山灰堆積物を手や布切れ等で取り除こうとする場合だけでなく、水で流して除去する場合であっても同様に生じる。具体的には、水で洗い流す際に火山灰がドアパネルとこの周囲のパネルの隙間に入り込んで、ドアパネルに備わった水密用のゴムシール部材であるウェザーストリップに長期間固着することで、このウェザーストリップの一部を破損させ、車内の水密性が確保できなくなる虞がある。
【００２３】
一方、近年、太陽光発電パネルの普及により、家屋の屋根に多数の太陽光発電パネルを並べて配置して、この太陽光発電により家庭で消費する電力のかなりを賄うことが広く行われている。このような多数の太陽光発電パネルを屋根に設置するためには高価な初期投資費用を必要とする。
【００２４】
太陽光発電パネルの表面は、発電効率を高めるために、光透過率が高くなるように特別に加工されている。そのため、この太陽光発電パネルの上面に火山灰が一旦堆積すると、発電効率が極端に低下してしまう。このような場合に堆積した火山灰を太陽光発電パネル全体から無理矢理除去しようとすると、太陽光発電パネルの表面を全体的に傷つけてしまい、恒久的な発電効率の低下を招くため、この修理に多大な費用を必要とする。
【００２５】
特に太陽光発電パネルに火山灰が堆積した後、雨が降って火山灰堆積物がスラリーのセメント状やモルタル状と化して太陽光発電パネルに付着し除去し難くなると、これを無理矢理除去する際にパネル表面を同時に破損してしまうこともあり、被害がより甚大になる。
【００２６】
これとは別に、例えば一時避難が長期にわたる場合、火山灰堆積物が太陽光発電パネルの表面に徐々に増加して雨が滲み込んでコンクリート状やモルタル状にかたまったまま付着していくのをそのまま放置することになる。その結果、この火山灰堆積物の重みにより、太陽光発電パネルを屋根に固定している支持部に設計強度を超えた過大な応力が発生して、支持部が破損して太陽光発電パネル自体が屋根から落下してしまう虞もある。
【００２７】
一般的には複数の太陽光発電パネルが屋根の上のかなり広い面積を占めるように並べて配置されているので、一部の太陽光発電パネルが落下するとその他の太陽光発電パネルについても支持部が支持しきれずに同時に落下する虞が高い。このような事態が生じると、太陽光発電パネルの設置に要した初期投資費用が太陽光発電により全く回収できなくなり、その家屋の居住者に多大な損害をもたらす。
【００２８】
また、屋根の軒先が一般の道路に近い場合、太陽光発電パネルを屋根に取り付ける支持部が万一破損すると、太陽光発電パネル自体が屋根の上を滑り落ちた後、軒先から道路側に向けて落下してしまい、たまたま道路を歩いている歩行者や走っている自転車にぶつかったり、道路を走行中の車の直前に落下したり、車自体にあたって思わぬ大事故を招き、家屋の管理者責任を問われる虞もある。
【００２９】
なお、特許文献２において開示された内容は、このような火山灰の堆積を検知すると共に火山灰が堆積し過ぎたときにこの検知装置が作動しなくなるのを防止する技術に関するものに過ぎない。また、特許文献３において開示された内容は、噴火中の活火山の火砕流や土石流に基づく災害を直接的に防止する火山噴火物の処理方法に関するものに過ぎない。
【００３０】
続いて、第３の背景技術として説明した雪が農家のビニールハウスに堆積物として堆積した場合や霜が農家の畑や一般家庭の庭で行われる家庭菜園における作物の生育している土壌に堆積物として堆積した場合の問題点について説明する。
【００３１】
農業用のビニールハウスは、一般的に鉄骨でできた支柱及びビニールの屋根を形成するための金属製の細いフレーム材と、これらを介してハウス形状に被せられたビニールから構成されており、ハウス内の温度や湿度を一定に保つと共に日光をハウス内に充分取り入れる機能を有しているに過ぎず、通常の風雨をしのげる程度の強度を有しているに過ぎない。
【００３２】
従って、冬期に雪がそれほど降らない地域において近年の気象変動により突然大型の低気圧が通過して一晩において大量の降雪に見舞われた場合、ビニールハウスの上にも大量の雪が積雪してしまい、この堆積した雪の重みによってビニールハウスのビニールが破れて破損してしまったり、支柱やフレーム自体がその堆積した雪の重みに耐えきれず曲がったり倒れたりしてビニールハウス自体が崩壊してしまう虞もある。
【００３３】
特に太平洋側の南岸上を通過する低気圧によってもたらされる降雪はそれ自身水分を多く含んでおり、ビニールハウスに雪が堆積した時の雪の重みは、同程度の堆積量であっても雪自体にあまり水分を含まない北日本の降雪地帯におけるそれよりもはるかに大きくなっている。
【００３４】
一旦、農業用ビニールハウスのビニールが破れて極端に温度の低い外気がハウス内に入り込んだり、ビニールハウス自体が崩壊してしまいビニールハウス内の温度を理想的な温かい温度に保てなくなったりしてしまうと、それまで農業用ビニールハウス内で大切に栽培していた作物の品質が一度に損なわれ、農家の受ける損害は甚大なものとなる。
【００３５】
また、このような農業用のビニールハウスの問題に加えて、農家の畑や一般家庭の庭で行われる家庭菜園における問題も生じている。具体的には、近年の気象変動により冬期において夜半極端に気温が低下して朝になると地面全体に霜柱が付着してしまう場合がある。作物を栽培している土壌の上に細かい氷の柱からなる霜が堆積物として一面に堆積してしまうと、作物自体も一度に全て台無しになってしまう。その結果、農家や家庭菜園を楽しんでいた人々にとってそれまでの苦労が水泡に帰してしまう虞がある。
【００３６】
なお、特許文献４に開示された内容は、農業用ビニールハウスのビニールシートを巻き取る装置に関するものに過ぎず、特許文献５に開示された内容は、農業で用いる敷き藁の効果を高めるための特別な構成を有した構造物に過ぎない。
【００３７】
本発明の目的は、冬期における車や家の屋根に堆積する雪、風の強い時期における車や家の屋根に堆積する粉塵や黄砂、活火山の噴火に伴って広範囲に飛散して車や家の屋根に堆積する火山灰、及び冬期における農業用ビニールハウスの表面や、畑、家庭菜園における作物及びその周囲の土壌に堆積する雪や粉塵、火山灰、冬期に付着して堆積する霜を簡単に除去することができる堆積物除去用ロールシート具を提供することにある。
【課題を解決するための手段】
【００３８】
上述した課題を解決するために、本発明の請求項１に係る堆積物除去用ロールシート具は、
対象物に堆積した堆積物をこの対象物から除去する堆積物除去用ロールシート具であって、使用者が１人で持ち運び可能な大きさからなり、
前記堆積物除去用ロールシート具は、ロール状に巻かれたロール体の形態をなす堆積物除去シートと、前記ロール体を収容可能なロール体収容部を備え、
前記ロール体収容部から前記ロール体として巻かれた堆積物除去シートを巻き解して一定の長さだけ展開させた状態の堆積物除去シートが、前記堆積物から保護すべき対象物の所定領域の表面に密着した状態でこの対象物に被さるようになっており、かつ前記対象物に被さった堆積物除去シートごと前記堆積物を前記対象物から除去可能なことを特徴としている。
【００３９】
本発明の請求項１に記載の堆積物除去用ロールシート具によると、対象物に堆積物が堆積しても、堆積物除去シートを対象物から引き離すだけで、堆積物によって対象物の表面を傷めることなく極めて簡単な作業で堆積物を対象物から全て迅速かつ確実に除去することができる。
【００４０】
また、使用者が１人で持ち運び可能な大きさからなるので、携帯性に優れかつ何時どこで生じるか分からない非常事態に備えて車のトランクの片隅や家屋内の空きスペース等僅かな広さの保管場所で保管しておくことができる。
【００４１】
また、ロール体収容部を備えることで、堆積物除去シートを引き出して対象物に被せる際に、ロール体収容部を対象物の被せる領域の一端に置くか固定しておき、対象物除去シートを対象物に被せる領域の他端まで堆積物除去シートを更に引き出してから被せるだけの簡単な作業で済むので、人手を必要とすることなく１人だけでもこの作業を素早くかつ簡単に行うことができる。
【００４２】
また、本発明の請求項２に係る堆積物除去用ロールシート具は、請求項１に記載の堆積物除去用ロールシート具において、
前記堆積物除去用ロールシート具のロール体収容部には、前記堆積物除去シートを所定の大きさに展開した状態で当該ロール体収容部から分離するための切断手段が備わっていることを特徴としている。
【００４３】
本発明の請求項２に記載の堆積物除去用ロールシート具によると、対象物の大きさに応じて必要最低限の堆積物除去シートを切断して用意し、対象物に被せて堆積物から対象物を保護できるので、堆積物除去シートを無駄無く使用することができる。
【００４４】
また、必要な大きさの堆積物除去シートをロール体収容部から引き出して素早く切断することができるので、例えば急に雪は降る場合や火山灰が降り注ぐ場合などの直前に堆積物除去シートを対象物に短時間で覆い被せることができる。
【００４５】
また、本発明の請求項３に係る堆積物除去用ロールシート具は、請求項１又は請求項２に記載の堆積物除去用ロールシート具において、
前記堆積物除去用ロールシート具は、降り積もった雪、堆積した火山灰、堆積した黄砂、堆積した粉塵の何れかからなる堆積物を対象物から除去することを特徴としている。
【００４６】
これらの堆積物が対象物に堆積すると特に大きな問題を生じるが、請求項３に記載の堆積物除去用ロールシート具によると、このような問題の発生を未然に防ぐことができる。
【００４７】
また、本発明の請求項４に係る堆積物除去用ロールシート具は、請求項３に記載の堆積物除去用ロールシート具において、
前記堆積物除去シートが、前記対象物として車に適用可能なことを特徴としている。
【００４８】
本発明の請求項４に記載の堆積物除去用ロールシート具によると、車のボンネット、ルーフパネル、トランクリッドに堆積した堆積物を除去する時に堆積物除去シートごと簡単かつ迅速に除去することができるので、堆積物の除去時にこれらのパネルの表面に傷を付けずに済む。同様にフロントガラスやリアガラスに堆積物が堆積してもこれらのガラス表面に傷を付けることなく堆積物を容易に除去することができる。
【００４９】
また、本発明の請求項５に係る堆積物除去用ロールシート具は、請求項３に記載の堆積物除去用ロールシート具において、
前記堆積物除去シートが、前記対象物として家屋の屋根や屋上に設置された太陽光発電パネルに適用可能であることを特徴としている。
【００５０】
この堆積物除去用ロールシート具によると、太陽光発電パネルの受光面を堆積物除去シートで全面的に覆って保護することができる。その結果、この上に堆積物が堆積しても、堆積物除去シートを剥がすだけで堆積物を全て簡単かつ迅速に除去することができ、太陽光発電パネルの表面を確実に保護する。これによって、設置に非常にコストがかかる太陽光発電パネルの表面を傷めることなく、家屋の所有者に損害を与えずに済む。
【００５１】
また、多量の堆積物が太陽光発電パネルの表面に付着する前に堆積物除去シートを適宜剥がして堆積物を逐次除去することができるので、堆積物が太陽光発電パネルの表面に大量に堆積して太陽光発電パネルの表面に堆積物の重さが直接加わるのを防止する。これによって、太陽光発電パネルの屋根への支持部に過大な応力が作用することなく、この支持部が破損して太陽光発電パネルが屋根から滑り落ちてしまうような事態を招かないようにする。
【００５２】
また、本発明の請求項６に係る堆積物除去用ロールシート具は、請求項３に記載の堆積物除去用ロールシート具において、
前記堆積物除去シートが、前記対象物として支柱やフレームとビニールでできた農業用ビニールハウスに適用可能であることを特徴としている。
【００５３】
農業用ビニールハウスの屋根に例えば雪や火山灰が大量に積もって堆積する前に堆積物除去用ロールシート具を農業用ビニールハウスの屋根から雪や火山灰と共に逐次引き剥がすことで、農業用ビニールハウスの屋根部に過大な重みが加わることがない。これによって、農業用ビニールハウスの屋根部のビニールが破れたり農業用ビニールハウスを構成する支柱や屋根部のフレームが過大な応力により破損して農業用ビニールハウスが崩壊したりすることがない。その結果、農業用ビニールハウス内で栽培している作物に損害を生じさせずに済み、その季節に出荷すべき作物が出荷できないという最悪の事態を回避することができる。
【００５４】
また、活火山による噴火や水蒸気爆発の影響を受ける地域においても、ビニールハウスを構成するビニールが火山灰の熱によって溶けて農業用ビニールハウス自体の内部の温度の適切な管理を行うことができなくなってしまうような事態を防止すると共に、上述した積雪による農業用ビニールハウスの屋根への雪の堆積と同様に火山灰が堆積した後に雨が降って火山灰が水分を含み、それ自身の堆積物の重みが増加して農業用ビニールハウスの屋根部のビニールの破損や農業用ビニールハウス自体の崩壊を招くことを確実に防止することができる。
【００５５】
また、本発明の請求項７に係る堆積物除去用ロールシート具は、請求項１又は請求項２に記載の堆積物除去用ロールシート具において、
前記堆積物除去シートが、畑や家庭菜園の土壌の表面に被せることができ、前記畑や家庭菜園の土壌の表面に積もった堆積物である霜を当該堆積物除去シートごと除去可能であることを特徴としている。
【００５６】
このような堆積物除去シートを農家の畑や一戸建ての庭に設けた家庭菜園等において冬期の極端に気温が下がる明け方において有効に利用できる。具体的には天気予報等によって冬期の翌朝の気温が極端に低下することを知った場合に、堆積物除去シートを農家の畑や家庭菜園の作物を予め簡単な作業で全体的に覆うように敷き詰めておくことができる。
【００５７】
これによって、畑や家庭菜園の土壌に通常堆積する氷の柱からなる霜が直接作物に付着することなく、作物の生育を妨げることがない。そして、その日の午前中に気温が上がった場合に堆積物除去シートをめくって霜と共に除去することにより、畑や家庭菜園で栽培している植物に再び十分な日光にさらすことができ、作物の生育をより促進させることができる。
【００５８】
また、本発明の請求項８に係る堆積物除去用ロールシート具は、請求項１乃至請求項６の何れかに記載の堆積物除去用ロールシート具において、
前記堆積物除去用ロールシート具の材質は、耐熱性に優れた樹脂材でできていることを特徴としている。
【００５９】
この堆積物除去用ロールシート具によると、火山灰が噴火直後でまだ熱を有している場合であっても、堆積物除去シートが耐熱性を有していることで、この堆積物除去シートによって保護する対象物の表面に熱による悪影響を与えることが無い。
【００６０】
また、本発明の請求項９に係る堆積物除去用ロールシート具は、請求項２に記載の堆積物除去用ロールシート具において、
前記堆積物除去用ロールシート具は、これ自体を前記対象物又は該対象物の周囲に取り付けて固定可能とする取り付け部が備わっていることを特徴とする。
【００６１】
この堆積物除去用ロールシート具によると、対象物にそのまま取り付けることができるので、例えば太陽光発電パネルにロール体収容部自体を必要な個数だけ取り付けて、積雪や火山灰の堆積量が多くならない頻度で堆積物除去シートを新しい堆積物除去シートに頻繁に交換することができる。これによって、太陽光発電パネルに加わる積雪や火山灰からなる堆積物の総重量を常に減らすことができて、太陽光発電パネルを屋根に設置する支持部にその破損につながる好ましくない大きな負荷を与えなくて済む。
【００６２】
また、車に堆積物除去シートを適用した場合であっても、その堆積物除去シートを頻繁に簡単な作業で取り換えることができるので、例えばボンネットやルーフパネル、トランクリッドに積雪や火山灰が多量に堆積してその重みでこれらのパネル表面が変形してしまうのを防止できる。
【発明の効果】
【００６３】
本発明によると、冬期における車や家の屋根に堆積する雪、風の強い時期における車や家の屋根に堆積する粉塵や黄砂、活火山の噴火に伴って広範囲に飛散して車や家の屋根に堆積する火山灰、及び冬期における農業用ビニールハウスの表面や、畑、家庭菜園における作物及びその周囲の土壌に堆積する雪や粉塵、火山灰、冬期に付着して堆積する霜を簡単に除去する堆積物除去用ロールシート具を提供することができる。
【図面の簡単な説明】
【００６４】
【図１】本発明の各実施形態に使用する共通構成を有する堆積物除去用ロールシート具から堆積物除去シートを一部引き出した状態を示す斜視図である。
【図２】図１に示した堆積物除去用ロールシート具の内部を端面方向から透過的に示す説明図である。
【図３】図１に示した堆積物除去用ロールシート具の変形例を示す図１に対応する斜視図である。
【図４】図１乃至図３に示した堆積物除去用ロールシート具を用いて、車にその堆積物除去シートを被せた状態を示す概略斜視図である。
【図５】図１乃至図３に示した堆積物除去用ロールシート具を用いて、屋根に設置した太陽光発電パネルにその堆積物除去シートを被せた状態を示す説明図である。
【図６】本発明に係る堆積物除去用ロールシート具を適用した第１の実施形態として車に堆積した雪を除去する手順を示す説明図である。
【図７】図６に続いて、本発明に係る堆積物除去用ロールシート具を適用した第１の実施形態として車に堆積した雪を除去する手順を示す説明図である。
【図８】本発明に係る堆積物除去用ロールシート具を適用した第１の実施形態として家屋の屋根に堆積した雪を除去する手順を示す説明図である。
【図９】図８に続いて、本発明に係る堆積物除去用ロールシート具を適用した第１の実施形態として家屋の屋根に堆積した雪を除去する手順を示す説明図である。
【図１０】本発明に係る堆積物除去用ロールシート具を適用した第２の実施形態として車に堆積した火山灰堆積物を除去する手順を示す説明図である。
【図１１】図１０に続いて、本発明に係る堆積物除去用ロールシート具を適用した第２の実施形態として車に堆積した火山灰堆積物を除去する手順を示す説明図である。
【図１２】本発明に係る堆積物除去用ロールシート具を適用した第２の実施形態として家屋の屋根の太陽光発電パネルに堆積した火山灰堆積物を除去する手順を示す説明図である。
【図１３】図１２に続いて、本発明に係る堆積物除去用ロールシート具を適用した第２の実施形態として家屋の屋根の太陽光発電パネルに堆積した火山灰堆積物を除去する手順を示す説明図である。
【発明を実施するための形態】
【００６５】
以下、本発明の各実施形態において共通構成を有する堆積物除去用ロールシート具について、図面に基づいて説明する。図１は、本発明の各実施形態に使用する共通構成を有する堆積物除去用ロールシート具から堆積物除去シートを一部引き出した状態を示す斜視図である。また、図２は、図１に示した堆積物除去用ロールシート具の内部を端面方向から透過的に示す説明図である。
【００６６】
本実施形態に係る堆積物除去用ロールシート具１は、使用前にロール状に巻かれたロール体１０と、ロール体１０を収容するロール体収容部２０を有し、ロール体収容部２０は、ロール体全体をその中に収容すると共にロール体１０から巻き解された堆積物除去シート１００を外部にそのまま引き出すことができるようになっている。
【００６７】
ロール体１０は、芯ロール１１と、芯ロール１１の周りに巻かれた堆積物除去シート１００から構成されている。本実施形態の場合、芯ロール１１は、例えば金属や強度と成型性に優れた樹脂、厚さの十分厚い紙材等でできており、細長い円筒体からなる。
【００６８】
堆積物除去シート１００（以下、適宜単に「シート」とする）は、耐熱性と耐候性及び耐久性に優れたポリプロピレン（ＰＰ）でできており、以下に説明する第１及び第２の実施形態の場合、並びに第３の実施形態であって農業用ビニールハウスに本発明を適用する場合は、厚さが０．０５ｍｍ〜０．２ｍｍ、幅が５０ｃｍ〜１００ｃｍ、長さが約３０ｍ〜８０ｍになっており、この堆積物除去シート１００の一方の端部がロール体１０の芯ロール１１に付けられ、残りの部分は芯ロール１１に巻き付けられた状態でロール体１０の形態をなしている。
【００６９】
また、以下に説明する第４の実施形態の場合であって農家の畑や家の庭の家庭菜園等に本発明を適応する場合、上述した厚みや寸法を有するポリプロピレン（ＰＰ）を用いる代わりに、厚さが０．０１ｍｍ〜０．０３ｍｍ、幅が５０ｃｍ〜１００ｃｍ、長さが約３０ｍ〜８０ｍの寸法を有する堆積物除去シート１００を利用しても良い。この場合であっても、堆積物除去シート１００の一方の端部がロール体１０の芯ロール１１に付けられ、残りの部分は芯ロール１１に巻き付けられた状態でロール体１０の形態をなしている。
【００７０】
ロール体収容部２０は、ロール体１０に対応する長さ及び幅を有するベース板２１０と、ロール体１０をロール体収容部内で回転可能に支持するロール体支持部２２０と、ベース板２１０に取り付けられ、ベース板２１０と協働してロール体全体を覆うカバー２３０と、ロール体収容部２０から巻き解されて取り出された堆積物除去シート１００を適当な長さで切断する切断部２４０を有している。
【００７１】
ベース板２１０は、金属又は強度と成型性に優れた樹脂でできており、ベース板２１０の幅は、ロール体収容部２０の幅よりも若干長く、ベース板２１０の長さはロール体収容部２０の長さと略同一となっている。そして、ロール体収容部２０は、ベース板２１０の長手方向一部かつ幅方向全体に亘ってロール体収容部２０に取り付けられている。
【００７２】
ロール体支持部２２０は、ベース板２１０の長手方向両端部近傍にそれぞれ備わった支柱２２１と、各支柱２２１の上端部に備わった上端部間に架設された支持棒２２２を備えている。即ち、支持棒２２２は、その両端の支柱２２１によってベース板２１０の上方に両持ち梁状に配置されている。
【００７３】
なお、ロール体支持部２２０は、ロール体１０の全長よりも長くかつロール体収容部２０の長手方向の長さよりも短くなっており、ロール体収容部２０をベース板２１０に固定した状態でロール体支持部２２０が内部に収容されるようになっている。
【００７４】
支持棒２２２は、ロール体１０の芯ロール１１に対して僅かに小さい直径を有し、ロール体１０の芯ロール１１を支持棒２２２に通した状態でロール体支持部２２０において堆積物除去シート１００をロール体収容部２０のシート引出し用開口部２１３から外側に引っ張ることによってロール体１０がロール体収容部内において抵抗なく回転するようになっている。
【００７５】
各支柱２２１の上端には、支持棒２２２を着脱可能なラッチ固定部（ここでは詳細には図示せず）が備わり、ロール体１０から堆積物除去シート１００を全て巻き解してロール体１０を新しいロール体１０に交換する際にこのラッチ固定部を外してロール体１０の芯ロール１１に挿通した支持棒２２２をロール体支持部２２０からそれぞれ外し、新たなロール体１０の芯ロール１１に支持棒２２２を通してラッチ固定部を介して各支柱２２１の上端に支持棒２２２を再び固定するようになっている。
【００７６】
カバー２３０は、下側カバー２３１と上側カバー２３２となっており、下側カバー２３１は、細長の直方体形状を有して下部がベース板２１０に固定され、その上側開口部にロール体１０の上側に対応して湾曲した細長形状を有した上側カバー２３２が取り付けられている。また、カバー２３０の幅方向一端にはヒンジ２３３が設けられている。
【００７７】
そして、図２に示すように、カバー２３０は、ヒンジ２３３を介して開閉可能にベース板２１０に固定されている。また、ヒンジ２３３と反対側には、図１及び図２に示すように、ラッチ機構を有したカバー閉じ機構２３４が備わり、カバー２３０をベース板２１０に被せた状態にすると共に、ロール体１０を使い切って新しいロール体１０に交換する際にカバー２３０を開けて交換作業を行う。
【００７８】
下側カバー２３１とベース板２１０との間には、堆積物除去シート１００の幅及び厚さより若干大きめの寸法を有したシート引出し用開口部２１３が備わっている。そして、図１に示すように、シート引出し用開口部２１３を介してロール体として巻かれた最外周の堆積物除去シート１００を引き出すようになっている。
【００７９】
切断部２４０は、図２に示すように、端面視で基端部２４１が略Ｌ字状に折れ曲がり、先端部２４２が若干上方に向き、かつベース板２１０の先端部２１５よりもロール体収容部側に位置している。切断部２４０の幅は、堆積物除去シート１００の幅よりも若干長くなっており、切断部２４０の先端部２４２は、図１に示すように、細かい鋸状に形成されて、堆積物除去シート１００を引き出してから手で切断し易いようになっている。
【００８０】
これによって、ロール体収容部２０から引き出した堆積物除去シート１００を切断部２４０の先端部側に幅方向全体に亘って押し付けられるようにそのシート先端側を折り返して堆積物除去シート１００の幅方向一方から他方に引っ張ることで堆積物除去シート１００を所望の長さで容易に切断するようになっている。
【００８１】
なお、本発明においては、このような実施形態と異なりベース板２１０と切断部２４０を一体化した構成としても良い。これによって、堆積物除去用ロールシート具全体の大きさを小型化することができ、より携帯性に優れるものとすることが可能となる。
【００８２】
続いて、上述の実施形態の変形例について説明する。なお、この変形例において上述の実施形態と同一の構成については、対応する符号を付して詳細な説明を省略する。この変形例に係る堆積物除去用ロールシート具は、シート切断部の構造を除いて上述の実施形態と同様の構成を有している。
【００８３】
図３は、図１に示した堆積物除去用ロールシート具の変形例を示す図１に対応する斜視図である。図３において示す変形例に係る堆積物除去用ロールシート具２は、そのシート切断構造が上述の実施形態と異なることに加えて、ロール体収容部３０から引き出す堆積物除去シート１５０の下部方向両側に一定幅に亘って堆積物除去シート１５０の全長に接着層１５０ｓを設けた形態を有している。なお、この接着層１５０ｓの接着力は堆積物除去シート１５０をロール体収容部３０から引き出す際にさほど抵抗になるほどの接着力ではなく、かつ車や太陽光に密着させた状態で隣接する堆積物除去シート同士の接着層１５０ｓの重なり部分を手や足で押し付けることで互いに密着する適度な接着力を有している。更には、接着層同士が接着した状態で堆積物除去シート１５０に堆積物が堆積した後、それぞれの堆積物除去シート１５０を個別に引き剥がすことができる程度の接着力となっている。なお、この接着層１５０ｓは、必ずしも堆積物除去シート１５０の幅方向両側に設ける必要はなく、幅方向特定の片側にのみ形成されていても良い。また、この接着層１５０ｓは、幅方向一方端側が裏側に形成され他方端側が表側に形成されていても良い。これによって、堆積物除去シート同士を並べて配置する際に互いのシート同士を上手く重ね合わせることができると共に、それぞれの堆積物除去シートを個別に剥がす際に、これらのシートを幅方向最後に並べたシートから並べた順と逆の順番で剥がす。
【００８４】
このような接着層１５０ｓが形成されていることで、隣接する堆積物除去シート同士を長手方向全体に亘って一定幅で重ね合わせることで、この部分に風雨が当たって空気や水が侵入して隙間が生じるのを防止する。これによって、保護すべき対象物の表面全体を堆積物除去シート１５０で密着させながらこれを覆うことができる。
【００８５】
なお、このような接着層がなくても、本発明の上述の作用を充分発揮することは可能であることは言うまでもない。しかしながら、このような接着層を有することで、強い風が吹き付ける劣悪な気象状況においても、本発明の作用を確実に発揮することができる。
【００８６】
また、この変形例に係る堆積物除去用ロールシート具２は、図３に示すように、ロール体収容部３００から突出したベース板３１０の突出部３１１に或る程度の硬さを有する硬質ゴム等でできたカッター受け３１２を備えている。そして、上述した実施形態のように金属のカッターブレードをロール体収容部２０から延在させて設ける代わりに、板状のカッタースライドガイド部４００をベース板３１０の突出部３１１に対して僅かな間隔を隔てて対向配置するようにロール体収容部に延在配置させている。
【００８７】
カッタースライドガイド部４００には、その長手方向に沿って幅の細いスリット４１１が直線状に設けられ、スリット４１１に沿って下端に鋭利な切り刃を有したスライドカッター４１２がスリット４１１に沿ってスライド可能に備わっている。これによって、堆積物除去シート１００をロール体収容部３０のシート引出し用開口部２１３から所定の長さだけ引き出した後、スライドカッター４１２をスリット４１１に沿ってスライドさせることによって、スライドカッター４１２の下端部の鋭利な切り刃を介して堆積物除去シート１５０を素早く簡単に切断することができる。なお、スライドカッター４１２が摩耗して堆積物除去シート１５０を切断し難くなった場合、本変形例ではその詳細構造を説明しないが、一般的な構造に基づき新たなスライドカッター４１２に交換可能なようになっている。
【００８８】
続いて、上述した本発明に係る堆積物除去用ロールシート具の実際の使用方法について説明する。なお、以下の図面に基づく説明においては、この堆積物除去用ロールシート具を使用する上で最も効果の高い使用対象として車に使用した場合及び家屋の屋根や屋上に設置した太陽光発電パネル（以下、適宜「家屋の屋根に設置した太陽光発電パネル」とする）に使用した場合について記載する。なお、上述した各構成要素の符号については、以下の説明においてはその表記を省略する。
【００８９】
図４は、図１乃至図３に示した堆積物除去用ロールシート具を用いて、車を堆積物除去シートで覆った状態を示す概略斜視図である。また、図５は、図１乃至図３に示した堆積物除去用ロールシート具を用いて、家屋の屋根に設置した太陽光発電パネルにその堆積物除去シートを被せた状態を示す説明図である。
【００９０】
なお、図４及び図５に示すドット状の堆積物は、後述する第１の実施形態としては雪が降り積もってできた堆積物を表し、第２の実施形態としては火山灰が降り積もってできた堆積物を表している。そして、以下の説明においては、第１の実施形態及び第２の実施形態において共通する堆積物除去シートを対象物である車や屋根に設置した太陽光発電パネル（第１及び第２の実施形態においては屋根全体も含む）に対して適用した場合について説明する。
【００９１】
本発明に係る堆積物除去シートを車に被せる作業を行なう場合、第１の手順として（図４においては第１の手順に用いるシート自体を示さず）として、堆積物除去シートを巻き解してロール体収容部から引き出しながら、その端部を例えばヘッドライトやフロントバンパーのあたりにガムテープ等でくっ付け、堆積物除去シートでフロントバンパーやヘッドランプを覆う。そして、堆積物除去シート更に引き出してフロントガラスやルーフパネルに堆積物除去シートを密着させ、これに続いてリアガラスやトランクリッドに堆積物除去シートを密着させてリアコンビランプやリアバンパーの下側までロール体収容部から堆積物除去シートを引き出し続けながら密着させる。そして、切断部で堆積物除去シートをロール体収容部から切断し、車の幅方向運転席側３分の１の上面パネルやフロントガラス、リアガラスに堆積物除去シートを密着させながらこれらの領域を堆積物除去シートで覆う。
【００９２】
この際、上述したように堆積物除去シートを密着させる車の前方部分側のシート端部にガムテープ等を介して堆積物除去シートの最初に引き出してこの前端部を車にしっかりとくっ付け、堆積物除去シートの他方の端部を車の後ろ側まで引き出した状態で切断した後に、この切断部分にガムテープ等を貼り付けて堆積物除去シートの後端部を車にしっかりとくっ付けるのが良い。
【００９３】
通常、２人がかりで一方の人が最初に引き出した堆積物除去シートを車の前方部分に押え付けながらもう１人の人がロール体収容部を引っ張りながら車の後方部分まで移動して堆積物除去シートの後端を車の後ろ側に密着させる方法をとるが、上述のような方法によると１人でも堆積物除去シートを車に密着させながら堆積物除去シートで車を覆うことができる。
【００９４】
なお、堆積物除去シートの一端をボンネットの前方とフロントグリル周りの車体パネルの隙間に差し込み、他端をトランクリッドとリアバンパー周りの車体パネルの隙間に挟み込んでも、ボンネット、フロントガラス、ルーフパネル、リアガラス、トランクリッドを堆積物除去シートでこれに密着させながら覆うことができる。
【００９５】
同様に、先程、車に密着させた堆積物除去シートの幅方向に隣接して車の前側のヘッドライトや、フロントバンパーの部分に堆積物除去シートの一端をくっ付け、ロール体収容部を引っ張りながら車のボンネット、フロントガラス、ルーフパネル、リアガラス、トランクリッドに堆積物除去シートを密着させ、車の後端のリアバンパー下部辺りまで堆積物除去シートを巻き出しつつ、パネルやガラスに密着させながら、これらのパネルやガラスをシートで覆って適当な長さで堆積物除去シートの端部を切断し、その後、ガムテープ等を介して端部をリアバンパーの下部にくっ付ける。
【００９６】
更に車の助手席側も同様な方法で堆積物除去シートを車のボンネット、フロントガラス、ルーフパネル、リアガラス、トランクリッドに密着させる。
【００９７】
続いて、第２手順として、図４からも分かるように、上述した第１の手順と同様の方法で車の幅方向運転席側から助手席側に向かってボンネットの運転席側、フロントガラス、ルーフパネルの前方側及び後方側、リアガラス、トランクリッド前側部分及びトランクリッド後ろ側部分を堆積物除去シートで密着させながら被せる。この際、互いの堆積物除去シートが隣接するように車のボンネット、フロントガラス、ルーフパネル、リアガラス、トランクリッドを覆う。
【００９８】
より詳細には、例えば、上述と同様な方法で車のボンネットの部分についても例えば運転席側のフロントフェンダーの前方部分から堆積物除去シートを巻き出して先程ボンネットに重ねた堆積物除去シート上に更に新たな堆積物除去シートを助手席側のフロントフェンダーの下方部分に至るまでボンネットに堆積物除去シートが密着するように被せる。この場合も両端はガムテープ等でしっかりとくっ付けでおくのが良い。このようにして、車の火山灰が堆積し易い部分全体を堆積物除去シートで密着させた状態で二重に覆うようにする。
【００９９】
この際、隣接する堆積物除去シートは互いに或る程度の幅だけ重なり合うように車に密着させながらその堆積物除去シートを車に蔽う作業を行なうことが好ましい。これによって、隣接する各堆積物除去シートの間にしっかりとした重なり部を形成することができるので、天候が急変して風雨がかなり強まっても、重なり合ったシートの部分から堆積物除去シートが剥がれてこの隙間から雨水や空気が入り込むのを防止する。
【０１００】
なお、上述の代わりにエンジンフードとその前方部分の車体パネルとの隙間や、トランクリッドとその後方部分の車体パネルの隙間、及びドアの下部とその下側の車体パネルの隙間に堆積物除去シートの一端と他端を挟み込んで車のルーフパネルを堆積物除去シートで或る程度簡易的に覆うようにしても良い。また、上述のように堆積物除去シートを車の前後方向と左右方向に添って二重に被せる代わりに、例えば、上述した第２の手順だけのように何れか一方の方向にだけ被せても、本発明の作用を十分発揮できる。
【０１０１】
即ち、上述の説明においては、車の前後方向に沿って堆積物除去シートを三列に並べるようにして車の上面に密着させながら被せ、その後に車の幅方向一方の側から他方の側に堆積物除去シートを複数列並ぶように密着させながら被せたが、この順番を逆にしても本発明の作用を充分発揮できる。また、何れか一方だけ被せても本発明の作用を発揮できる。また、堆積物除去シートを並べる数は車の寸法に応じて適宜決めれば良く、比較的大型の車の場合は堆積物除去シートを四列かそれ以上並べても良い。
【０１０２】
続いて、家屋の屋根に設置した太陽光発電パネルに本発明に係る堆積物除去シートを被せる方法について、図５に基づいて、説明する。なお、以下の説明は、本発明に係る堆積物除去シートを家屋の屋根に設置した太陽光発電パネルに被せる具体的方法であるが、本発明に係る堆積物除去シートを家屋の屋根全体に被せる場合についても同様である。
【０１０３】
以下このやり方について具体的に説明する。最初に、例えば堆積物除去シートをロール体収容部の開口部から引き出してその一端を太陽光発電パネルの上側縁にガムテープ等でくっつけた後、堆積物除去シートをロール体収容部の開口部から更に引き出してこれを太陽光発電パネルの表面に密着させた状態で被せながらその他端を太陽光発電パネルの下端縁にガムテープ等でくっ付けるようにする。
【０１０４】
この際の太陽光発電パネルの表面に堆積物除去シートを被せる際に、気泡や空気だまりが生じないように密着させながら覆うことが重要である。
【０１０５】
また、隣接する堆積物除去シート同士にある一定幅の重なり領域を設けて風雨が強まった場合に堆積物除去シートと太陽光発電パネルとの表面の間に風や雨の侵入による隙間ができないようにすることが大切である。この理由は、太陽光発電パネルは例えば家屋の二階の屋根等高い位置に設置されているので、車を駐車している地上と異なり高さが非常に高く、天候の悪化により風雨の影響をより直接受けるためである。
【０１０６】
従って、このように風雨の影響が懸念される場合は、太陽光発電パネルの上下方向のみに堆積物除去シートを被せるだけでなく左右方向にも被せても良い。即ち、上述した車に堆積物除去シートを二重に被せた場合と同様に、太陽光発電パネルの受光面に堆積物除去シートを二重に被せても良い。
【０１０７】
なお、堆積物除去シートに、これを保護対象物になる車や太陽光発電パネル、屋根自体にしっかりと固定する公知のクランプやフック機構等の固定部を設けても良い。この場合の固定部は、車や太陽光発電パネルの金属部分にロール体収容部自体をしっかりと固定可能な強力な磁石や、同じくロール体収容部自体を車や太陽光発電パネル取り付けや取り外し可能な金属製のブラケット、しっかりとした強度と成形性に優れたクランプ型の樹脂材でできていても良い。
【０１０８】
このような固定部を有することで、例えば堆積物除去シートを幾つか用意し、車や太陽光発電パネル、屋根自体に堆積物除去シートを並べた状態で堆積物除去シートを巻き解してその表面に密着させた状態で被せ、堆積物が車や太陽光発電パネル、屋根自体に堆積した時点で堆積物除去シートを除去し、新しい堆積物除去シートをロール体収容部から引き出してこれらに密着状態を保ちながら再度被せるようにする。
【０１０９】
このような方法で、堆積物除去シートの交換を頻繁に行うことによって、太陽光発電パネルや屋根自体に堆積物が多量に堆積してしまうのを防止する。これによって、太陽光発電パネル、屋根自体に堆積物が大量に堆積する前に堆積物を除去できるので、太陽光発電パネルや屋根に過大な応力がかかり、太陽光発電パネルの支持部が破損して太陽光発電パネル自体が屋根から落下したり、屋根自体が破損してしまうような事態を招くことを防止する。特に堆積物が火山灰の場合、気候の変化に伴って堆積物に雨水が滲み込んでこの火山灰の堆積物がスラリー状のコンクリートやモルタル状に固化していくので、火山灰堆積物があまり増加しないうちに堆積物除去シートを頻繁に交換することが最も好ましいが、本発明のこの形態によると、堆積物除去シートの交換作業が極めて行い易くなるのでそのメリットは非常に大きい。
【０１１０】
このような使用方法は、車に堆積物除去シートを密着させながら覆う場合においても同様である。即ち、このような使用方法とすることで、車のボンネットやルーフパネル、トランクリッド等の実際には比較的薄い板厚でできたパネル上に多量の火山灰が堆積することでその重みによってこれらのパネルが凹んでしまうのを防止する。
【０１１１】
続いて、本発明の本発明に係る堆積物除去用ロールシート具を適用した第１の実施形態として、車に積もった雪の堆積物を除去する手順について説明する。図６は、本発明に係る堆積物除去用ロールシート具を適用した第１の実施形態として車に堆積した雪を除去する手順を示す説明図である。また、図７は、図６に続いて、本発明に係る堆積物除去用ロールシート具を適用した第１の実施形態として車に降り積もった雪の堆積物を除去する手順を示す説明図である。なお、図６及び図７においては、車５０に被せた複数の堆積物除去シート１００（１０１，１０２，１０３，・・・）のうち、いずれか１枚の堆積物除去シート１００を剥がしていく過程について示している。
【０１１２】
図６及び図７に示すように、降り積もった雪を除去する人（以下、適宜単に「人」とする）が、例えば車５０の側方の一方の側（例えば運転席側）から積雪による雪８００の堆積物（以下単に「積もった雪」とする）で覆われた堆積物除去シート１００（１０１，１０２，１０３，・・・）を剥がし、ルーフパネルの上面の全面に積もった雪を火山灰除去シート間に挟み込むようにしながら堆積物除去シートを他方の側（助手席側）に向かって転がしていく。これは、上述した変形例の場合の堆積物除去シート１５０についても同様である。
【０１１３】
ここで、堆積物除去シート１００（１０１，１０２，１０３，・・・）を車から剥がす順番は、雪が降り積もって堆積する前に堆積物除去シート１００を車５０に被せた順番と逆の順番である。即ち、この堆積物除去シート１００を車５０から剥がす作業は、最も後に車に被せた堆積物除去シート１００から始め、これより被せた順番とは逆に遡って車５０から剥がしていく。
【０１１４】
そして、図６（ａ）から図６（ｂ）に示すように、ルーフパネルにおいて積もった雪を挟み込みながらロール状に巻かれた堆積物除去シートをさらに押して転がし、ルーフパネルの助手席側の縁部からその側方の地面に向かって落とす。これによって、助手席側の堆積物除去シートも自然に剥がれて積もった雪をロール状に巻かれた堆積物除去シートごと除去することができる。
【０１１５】
例えば、図７（ｃ）の状態に至るまで雪を挟みながら堆積物除去シートをロール状に巻いていくと、これらが恰も大きな鳴門巻き（なるとまき）のような形状をなすようになり、図７（ｃ）から（ｄ）に至るまではこれを車の反対側の側方に向けて押し込むことでそれ自身が大した力を要さず転がり、自然に勢いがついて図７（ｄ）から（ｅ）に至るように車より離れた位置にこれを落とすことができる。そのため、通常の車に積もった雪を除去する作業と異なり、手先を冷やすことなく単純な手の動きで雪を車から堆積物除去シートごと一気に除去することができる。これによって、衣服の袖に雪が付いてこれが溶けて衣服の袖が水浸しとなり、上着を着替えてから車に乗るような必要もなく、冷たくなった手を温めたり汚れた手を洗ったりする必要もない。
【０１１６】
この要領でエンジンフード状に積もった雪や、トランクリッド上に積もった雪を簡単な作業で迅速に除去できる。このような除去方法は、図６及び図７と異なり一番上側の堆積物除去シートが車の前後方向にわたって車の上面を被った場合についても同様に適用できる。この場合、例えば、ヘッドライトを被った積もった雪を剥がして、エンジンフード上を転がし、積もった雪を挟みこんだ状態の堆積物除去シートをロール状に巻き込み、この巻き上げ作業をフロントガラス、ルーフパネル、リアガラス、トランクリッドまで続けながらトランクリッド後端から車の後方の地面にロール状に巻かれた堆積物除去シートをこの間に挟まれた積もった雪ごと落とす。
【０１１７】
なお、車に複数枚並んで被せた堆積物除去シートのそれぞれの幅は、人が１人でそのシートの両側を両手で持って車に被せることができる程度の幅なので、この上に雪が堆積した状態であっても上述したような手順で人が１人で積物除去シートを１枚ずつ車から雪を挟み込んだ状態でロール状に巻きながら車から剥がすことができる。
【０１１８】
このようにして雪の堆積した堆積物除去シートを１枚ずつ順番に車から剥がしていくことで、車全体に降り積もって堆積した雪を除去する作業を行うにあたって、堆積した雪を除去する人の身体に負担をかけることなく楽に行うことができる。
【０１１９】
このようにして、上述した本発明における課題を一気に解決することが可能となる。具体的には、近年の気象変動により冬場において定常的に雪が降る日本海側の地域だけでなく、太平洋側の地域においても南岸に沿って低気圧が通過することにより思わぬ積雪に見舞われた場合であって、屋根のない駐車場に止めている車にかなりの量の雪が降り積もって堆積物として積雪したとしても、上述した手順により車の上に降り積もって堆積した雪を一気に解決することができる。
【０１２０】
そのため、例えば通勤等で急いでいる場合にフロントガラスやリアガラスのみ手先で非常に冷たい思いをしながら雪を払いのけ、とりあえず車を運転する必要がなくなる。その結果、このように車に雪がかなり堆積した状態で車を運転し、信号等停止する際に車のルーフの上に堆積した雪がフロントガラスに滑り落ちてきてドライバーの視界を妨げ、安全運転に支障を生じさせるようなことがない。また、車に降り積もって堆積した雪全体を、手袋をつけて時間をかけて払いのける必要もなく、プラスチックのスコップや木の板で雪を一気に払いのけることで、気がつかない間に車のパネルやガラスに傷がついてしまい車の外観を著しく損なってしまうこともない。
【０１２１】
続いて、家屋の屋根に積もった雪を、堆積物除去用ロールシート具を用いて除去する方法について説明する。図８は、本発明に係る堆積物除去用ロールシート具を適用した第１の実施形態として家屋の屋根に堆積した雪を除去する手順を示す説明図である。また、図９は、図８に続いて、本発明に係る堆積物除去用ロールシート具を適用した第１の実施形態として家屋の屋根に堆積した雪を除去する手順を示す説明図である。なお、家屋の屋根に積もった雪の除去作業の基本的な原理は、上述した車に積もった雪の除去作業と同様である。なお、図８及び図９においては、屋根９０に被せた複数の堆積物除去シート１００（１０１，１０２，１０３，・・・）のうち、いずれか１枚の堆積物除去シート１００を剥がしていく過程について示している。
【０１２２】
積もった雪８００の屋根９０からの好ましい除去作業の方法としては、例えば両側に均等に傾斜する屋根の家何れか一方の屋根を覆う堆積物除去シート１００（１０１，１０２，１０３，・・・）の、屋根の傾斜面で見て高さの高い側の端部をはがし、屋根の傾斜面の下側に向かって堆積物除去シートを、積もった雪を挟み込みながら屋根の傾斜面の下端に向かって転がしていく。これは、上述した変形例の場合の堆積物除去シート１５０についても同様である。
【０１２３】
ここで、堆積物除去シート１００（１０１，１０２，１０３，・・・）を屋根から剥がす順番は、雪が降り積もって堆積する前に堆積物除去シート１００を屋根９０に被せた順番と逆の順番である。即ち、この堆積物除去シート１００を屋根９０から剥がす作業は、最も後に屋根９０に被せた堆積物除去シート１００から始めてこれより被せた順番とは逆に遡って屋根９０から剥がしていく。
【０１２４】
例えば、図８（ｂ）に示すように雪を挟みながら堆積物除去シートをロール状に巻いていくと、図８（ｃ）に示すようにこれらが恰も大きな鳴門巻き（なるとまき）のような形状をなすようになり、この状態において例えば雪を除去する人が足で蹴ることによって、堆積物除去シートは、図８（ｃ）から（ｄ）に至るように、屋根の傾きに伴う重力を介して屋根の上に積もった残りの雪を巻き込みながら屋根の上を自然に転がっていく。
【０１２５】
そのため、雪を除去する人は、図８及び図９に示すように堆積物除去シートによって雪を取り除いた屋根の上の部分に立っていることができるので、雪を踏み付けた状態で足を滑らしたり転倒したりすることがない。また、雪を除去する人は、図８（ｃ）の位置まで屋根の上を降りていき、それ以降は雪を挟み込みながらロール状に巻かれた堆積物除去シートを例えば足で蹴ることによってその場に留まりながら堆積物除去シートを屋根の軒先に落とすことができる。これによって、雪を除去する人が屋根の軒先から誤って転落するような事故を防止することができる。
【０１２６】
また、屋根の上の雪を除去する作業を行うにあたって安全確保のための命綱を装着する場合、その長さもさほど長くする必要がない。また、図９（ｅ）において堆積物除去シートが屋根の下方に向かって転がり落ちることを確認した段階で、素早く反対側の屋根の雪おろしを始めることができ（図９（ｆ）参照）、屋根の雪おろし作業を迅速に完了することができる。
【０１２７】
このような方法によって、堆積物除去シートの間に堆積した雪を挟みこんだ状態でロール状に巻かれた積もった雪を、その全体の重さを利用して屋根の上側から下側に向かってすばやく転がし、堆積物除去シートごと屋根の下端から地面に落とし、屋根に積もった雪の除去作業を短い時間と最低限の労力で終えることができる。
【０１２８】
なお、屋根に複数枚被せた堆積物除去シートのそれぞれの幅は、人が１人でそのシートの両側を両手で持って屋根に被せることができる程度の幅なので、この上に雪が堆積した状態であっても、上述したような手順で人が１人で積物除去シートを１枚ずつ屋根から雪を挟み込んだ状態で、ロール状に巻きながら屋根から剥がしていくことができる。このようにして雪の堆積した堆積物除去シートを１枚ずつ順番に屋根から剥がしていくことで、屋根全体に降り積もって堆積した雪を除去する作業を行う際に、雪を除去する人の身体に負担をかけることなく楽に行うことができる。
【０１２９】
このように、本発明によると、雪が屋根の上に降り積もって堆積してもこの積もった雪の堆積物を覆った堆積物除去シートの長手方向の一方の端部を手で持って他方の端部に向かって積もった雪を巻き込みながら堆積物除去シートを転がしていくことで、積もった雪がこのシートの間に挟まった状態でシートの他方の端部までロール状に巻きつけていくことができるので、ロール状に転がりながら巻かれていく堆積物除去シートの最も外周面が保護すべき対象物の表面に対して擦れることなく自然に離れていき、この対象物の表面を保護しながら積もった雪を屋根から一気に除去することができる。
【０１３０】
即ち、本実施形態によると、積もった雪を堆積物除去シートごとロール状に巻いていくことで周囲に積もった雪が拡散することなく、シートごとロール状に巻かれた積もった雪をそのまま屋根の下に落とすことができる。また、雪下ろしの際に、これを行う者が雪の上で足を滑らせて思わぬ怪我をすることもない。
【０１３１】
また、積もった雪を挟み込みながら堆積物除去シートをロール状に転がしていく形態をとる作業のため、堆積物除去シートを手や足でロール状になるように押し付けるだけで、積もった雪の除去作業を済ませることができる。そのため、積もった雪の雪下ろしをスコップ等で無理な姿勢で行わずに済む。これによって、雪下ろしをする人は、その手や足の関節を捻じったり腰を痛めたりすることなくこの作業を行うことができる。この結果、冬期の間ずっと雪が降り積もる地帯に住む高齢の住民であっても、雪下ろしを無理なく行うことができる。
【０１３２】
また、ロール状になって転がされて行く堆積物除去シートの上側に位置する屋根の表面はこれに積もった雪が既に除去されているので、屋根に積もった雪の除去作業を行う人は、不注意に足を滑らせて例えば２階の屋根から転落するような重大な事故を防止できる。
【０１３３】
また、屋根の雪おろし作業の間、堆積物除去シートを介して雪を挟み込みながら雪下ろしを行うので、雪下ろし作業中に手足を冷やすことなく血行不良による体調の悪化を招くこともない。また、手足を雪に直接付けることなく雪下ろし作業を行うことができるので、雪下ろしを終えた後に雪によって濡れた衣服を着替えたり靴を履き替えたりする必要もない。
【０１３４】
続いて、本発明に係る堆積物除去用ロールシート具を用いた第２の実施形態である火山灰を除去する場合について以下に説明する。本実施形態に係る堆積物除去シートを車に使用して火山灰堆積物除去作業を行なう場合、以下の手順で行う。図１０は、本発明に係る堆積物除去用ロールシート具を適用した第２の実施形態として車に堆積した火山灰堆積物を除去する手順を示す説明図である。また、図１１は、図１０に続いて、本発明に係る堆積物除去用ロールシート具を適用した第２の実施形態として車に堆積した火山灰堆積物を除去する手順を示す説明図である。
【０１３５】
第１の作業手順として、図１０に示すように、火山灰の堆積物９００を除去する人（以下、適宜単に「人」とする）が、例えば車５０の側方の一方の側（運転席側）から火山灰堆積物で覆われた堆積物除去シート１００（１０１，１０２，１０３，・・・）を剥がし、ルーフパネルの上面の全面に堆積した火山灰堆積物を火山灰除去シート間に挟み込むようにしながら堆積物除去シートを他方の側（助手席側）に向かって転がしていく。これは、上述した変形例の場合の堆積物除去シート１５０についても同様である。
【０１３６】
ここで、堆積物除去シート１００（１０１，１０２，１０３，・・・）を車から剥がす順番は、火山灰が堆積する前に堆積物除去シート１００を車５０に被せた順番と逆の順番、即ち、この堆積物除去シート１００を車５０から剥がす作業は最も後に車に被せた堆積物除去シート１００から始めてこれより被せた順番とは逆に遡って車５０から剥がしていく。なお、以下の説明においては符号の記載を省略する。また、図１０及び図１１においては、車５０に被せた複数の堆積物除去シート１００（１０１，１０２，１０３，・・・）のうち、いずれか１枚の堆積物除去シート１００を剥がしていく過程について示している。
【０１３７】
そして、図１１に示すように、ルーフパネルにおいて火山灰堆積物を挟み込みながらロール状に巻かれた堆積物除去シートをさらに押して転がし、ルーフパネルの助手席側の縁部からその側方の地面に向かって落とす。これによって、助手席側の堆積物除去シートも自然に剥がれて火山灰堆積物をロール状に巻かれた堆積物除去シートごと除去することができる。
【０１３８】
例えば、図１１（ｃ）の状態に至るまで火山灰堆積物除去シートをロール状に巻いていくと、これらが恰も大きな鳴門巻き（なるとまき）のような形状をなすようになり、図１１（ｃ）から（ｄ）に至るまではこれを車の側方に向けて押し込むことで大した力を要さずそれ自身が転がり、自然に勢いがついて図１１（ｄ）から（ｅ）に至るように車より離れた位置にこれを落とすことができる。そのため、通常の車に堆積した火山灰を除去する作業と異なり、手を汚すことなく単純な手の動きで火山灰を一気に除去することができる。これによって、衣服の袖に火山灰が付着して衣服が汚れて台無しになったり、この汚れた衣服を着替えてから車に乗るような必要もなく、火山灰で汚れた手を丹念に洗ったりする必要もない。
【０１３９】
この要領でエンジンフード状に堆積した火山灰堆積物や、トランクリッド上に堆積した火山灰堆積物を簡単な作業で迅速に除去できる。このような除去方法は、一番上側の堆積物除去シートが車の前後方向にわたって車の上面を被った場合についても同様に適用できる。この場合、例えば、ヘッドライトを被った火山灰堆積物除去シーを剥がして、エンジンフード上を転がし、火山灰堆積物を挟みこんだ状態の堆積物除去シートをロール状に巻き込み、この巻き上げ作業をフロントガラス、ルーフパネル、リアガラス、トランクリッドまで続けながらトランクリッド後端から車の後方の地面にロール状に巻かれた堆積物除去シートをこの間に挟まれた火山灰堆積物ごと落とす。
【０１４０】
なお、車に複数枚被せた堆積物除去シートのそれぞれの幅は、人が１人でそのシートの両側を両手で持って車に被せることができる程度の幅なので、この上に火山灰状態であっても上述したような手順で人が１人で積物除去シートを１枚ずつ車から火山灰挟み込んだ状態でロール状に巻きながら車から剥がしてことができる。このようにして火山灰の堆積した堆積物除去シートを１枚ずつ順番に車から剥がしていくことで、車全体に降り積もって堆積した火山灰除去する作業を行うにあたって、身体に負担をかけることなく楽に行うことができる。
【０１４１】
なお、以下の記載は、屋根の上に設置した太陽光発電パネルの上面に堆積した火山灰を堆積物除去シートで一気に解決する方法についての説明であるが、本発明は、太陽光発電パネル状に堆積した火山灰を堆積物除去シートで一気に除去するだけに適応するものでなく、上述した屋根に降り積もって堆積物となった場合の雪の堆積物の除去と同様に、予め屋根の全面に堆積物除去シートを被せておき、この屋根の全面に堆積した火山灰を堆積物除去シートで一気に除去する場合についても適用可能であることは言うまでもない。
【０１４２】
この場合、火山灰を除去する人は、堆積物除去シートによって火山灰を既に取り除いた屋根の上の部分に立っていることができるので、火山灰を踏み付けた状態で足を滑らしたり転倒したりすることがない。また、火山灰を除去する人は、屋根の途中まで降りていき、それ以降は火山灰を挟み込みながらロール状に巻かれた堆積物除去シートを例えば足で蹴ることによってその場に留まりながら堆積物除去シートを屋根の軒先に落とすことができる。これによって、火山灰を除去する人が屋根の軒先から誤って転落するような事故を防止することができる。
【０１４３】
また、作業の途中で堆積物除去シートが屋根の下方に向かって転がり落ちることを確認した段階で素早く反対側の屋根の火山灰の除去作業を始めることができ、屋根全体の火山灰の除去作業を迅速に完了することができる。
【０１４４】
続いて、家屋の屋根に設置した太陽光発電パネルに堆積した火山灰堆積物を、堆積物除去シートを用いて除去する方法について説明する。図１２は、本発明に係る堆積物除去用ロールシート具を適用した第２の実施形態として家屋の屋根の太陽光発電パネルに堆積した火山灰堆積物を除去する手順を示す説明図である。また、図１３は、図１２に続いて、本発明に係る堆積物除去用ロールシート具を適用した第２の実施形態として家屋の屋根の太陽光発電パネルに堆積した火山灰の堆積物を除去する手順を示す説明図である。なお、除去作業の基本的な原理は、上述した車に堆積した火山灰堆積物の除去作業と同様である。
【０１４５】
好ましい火山灰の堆積物９００の除去作業の方法としては、太陽に向かって受光面が斜めになった状態で屋根９０に設置した太陽光発電パネル９１の上側（高さの高い側）を覆う堆積物除去シート１００（１０１，１０２，１０３，・・・）の端部をはがし、太陽光発電パネルの下側に向かって堆積物除去シートを、火山灰堆積物を挟み込みながら太陽光発電パネルの下端に向かって転がしていく。
これは、上述した変形例の場合の堆積物除去シート１５０についても同様である。
【０１４６】
ここで、堆積物除去シート１００（１０１，１０２，１０３，・・・）を屋根から剥がす順番は、火山灰が堆積する前に堆積物除去シート１００を太陽光発電パネル９１に被せた順番と逆の順番、即ち、この堆積物除去シート１００を太陽光発電パネル９１から剥がす作業は最も後に太陽光発電パネル９１に被せた堆積物除去シート１００から始めてこれより被せた順番とは逆に遡って太陽光発電パネル９１から剥がしていく。なお、以下の説明においては符号の記載を省略する。また、図１２及び図１３においては、太陽光発電パネル９１に被せた複数の堆積物除去シート１００（１０１，１０２，１０３，・・・）のうち、いずれか１枚の堆積物除去シート１００を剥がしていく過程について示している。
【０１４７】
例えば、図１２（ｃ）のように火山灰を挟み込みながら堆積物除去シートをロール状に巻いていくと、これらが恰も大きな鳴門巻き（なるとまき）のような形状をなすようになり、図１２（ｂ）において例えば火山灰を除去する人が足で屋根の下側に押し込むことによって、図１２（ｃ）から図１３（ｅ）に至るまで屋根の傾きに伴う重力を介して堆積物除去シートは太陽光発電パネルの上に堆積した残りの火山灰を巻き込みながら太陽光発電パネルの上を転がっていく。なお、太陽光発電パネルの上の火山灰を除去する作業を行うにあたって安全確保のための命綱を装着する場合、その長さもさほど長くする必要がない。
【０１４８】
即ち、ロール状になって転がされて行く堆積物除去シートの上側に位置する太陽光発電パネルの表面は火山灰堆積物が既に除去されているので、火山灰堆積物の除去作業を行う人は、不注意に足を滑らせて例えば２階の屋根から転落するような重大な事故を防止できる。
【０１４９】
このような方法によって、堆積物除去シートの間に火山灰堆積物を挟みこんだ状態でロール状に巻かれた堆積物除去シートを、その全体の重さを利用して太陽光発電パネルの上面から下面に向かってすばやく転がし、堆積物除去シートごと太陽光発電パネルの下端から地面に落とし、火山灰堆積物除去作業を短い時間と最低限の労力で終えることができる。
【０１５０】
これは、火山灰堆積物が堆積物除去シートに堆積した後に雨が降ってその雨が染み込んで火山灰堆積物がスラリー状になってその上が極めて滑り易くなった状態において、除去する人の安全を図る上で極めて有用である。また、太陽光発電パネルに堆積した火山灰堆積物をこのような方法で除去することによって、上述した車における火山灰堆積物の除去方法と同様に、特に雨水が滲み込みスラリー状になったり、その後乾燥してコンクリートやモルタルのように固化した火山灰堆積物を、人の手、衣服や靴等を汚さないようにしたりしながら火山灰堆積物除去作業を終えることができる。
【０１５１】
特に、火山灰が或る程度堆積した状態で天候の悪化により雨が降ったりすると、この火山灰堆積物がスラリー状のコンクリートやモルタル状のようになり、これをスコップや硬い板等で除去しようとすると対象物の表面を痛めてしまう。
【０１５２】
しかしながら、本発明によると、火山灰堆積物がこのような状態になってもこのシート上面の堆積物除去シートを取り除くことなく、対象物を覆った堆積物除去シートの長手方向の一方の端部を手で持って他方の端部に向かって火山灰堆積物を巻き込みながら堆積物除去シートを転がしていくことで、火山灰堆積物がこのシートの間に挟まった状態でシートの他方の端部までロール状に巻きつけていくことができる。その結果、ロール状に転がりながら巻かれていく堆積物除去シートの最も外周面が保護すべき対象物の表面に対して擦れることなく自然に離れていくので、この対象物の表面を保護しながら火山灰堆積物を除去することができる。
【０１５３】
また、火山灰堆積物を堆積物除去シートごとロール状に巻いていくことで周囲に火山灰堆積物が拡散することなく、シートごとロール状に巻かれた火山灰堆積物をそのまま廃棄できる。また、火山灰堆積物を除去するときに、その除去作業をする者の体や衣服や足や靴が火山灰堆積物で汚れないようにしながら、火山灰堆積物の除去作業を行うことができる。これに合わせて火山灰堆積物を除去する際にスラリー状になった火山灰堆積物は足元に拡がって火山灰堆積物の除去作業中に足が滑って思わぬ怪我をすることもない。
【０１５４】
また、火山灰堆積物を挟み込みながら堆積物除去シートをロール状に転がしていく形態をとる作業のため、このロール状になっていく堆積物除去シートを押し付けるだけで、火山灰堆積物の除去作業を済ませることができる。そのため、スコップ等で火山灰堆積物を無理な姿勢で除去することを行わずに済む。これによって、火山灰堆積物を除去する人は、その手や足の関節を捻じったり腰を痛めたりすることなく除去作業を行うことができる。この結果、地方の活火山が噴火した場合等、その後に住む高齢の住民であっても火山灰堆積物の除去作業を無理なく行うことができる。
【０１５５】
これは、火山灰堆積物が堆積物除去シートに堆積した後に雨が降ってその雨が染み込んで火山灰堆積物がスラリー状になってその上が極めて滑り易くなった状態において、除去する人の安全を図る上で極めて有用である。また、太陽光発電パネルに堆積した火山灰堆積物をこのような方法で除去することによって、上述した車における火山灰堆積物の除去方法と同様に、特に雨水が滲み込みスラリー状になったり、その後乾燥してコンクリートやモルタルのように固化した火山灰堆積物を、人の手、衣服や靴等を汚さないようにしたりしながら火山灰堆積物除去作業を終えることができる。
【０１５６】
また、火山灰堆積物を挟み込みながら堆積物除去シートをロール状に転がしていく形態をとる作業のため、このロール状になっていく堆積物除去シートを押し付けるだけで、火山灰堆積物の除去作業を済ませることができる。そのため、スコップ等で火山灰堆積物を無理な姿勢で除去することを行わずに済む。これによって、火山灰堆積物を除去する人は、その手や足の関節を捻じったり腰を痛めたりすることなく除去作業を行うことができる。この結果、地方の活火山が噴火した場合等、その後に住む高齢の住民であっても火山灰堆積物の除去作業を無理なく行うことができる。このようにして、上述した本発明における課題を一気に解決することが可能となる。
【０１５７】
特に、火山灰が或る程度堆積した状態で天候の悪化により雨が降ったりすると、この火山灰堆積物がスラリー状のコンクリートやモルタル状のようになり、これをスコップや硬い板等で除去しようとすると対象物の表面を痛めてしまう。
【０１５８】
しかしながら、本発明によると、火山灰堆積物がこのような状態になってもこのシート上面の堆積物除去シートを取り除くことなく、対象物を覆った堆積物除去シートの長手方向の一方の端部を手で持って他方の端部に向かって火山灰堆積物を巻き込みながら堆積物除去シートを転がしていくことで、火山灰堆積物がこのシートの間にたまった状態でシートの他方の端部までロール状に巻きつけていくことができる。その結果、ロール状に転がりながら巻かれていく堆積物除去シートの最も外周面が保護すべき対象物の表面に対して擦れることなく自然に離れていくので、この対象物の表面を保護しながら火山灰堆積物を除去することができる。
【０１５９】
また、火山灰堆積物を堆積物除去シートごとロール状に巻いていくことで周囲に火山灰堆積物が拡散することなく、シートごとロール状に巻かれた火山灰堆積物をそのまま廃棄できる。また、火山灰堆積物を除去するときに、その除去作業をする者の体や衣服や足や靴が火山灰堆積物で汚れないようにしながら、火山灰堆積物の除去作業を行うことができる。これに合わせて火山灰堆積物を除去する際にスラリー状になった火山灰堆積物は足元に拡がって火山灰堆積物の除去作業中に足が滑って思わぬ怪我をすることもない。
【０１６０】
以上説明した堆積物除去シートは、これに火山灰が多量に付着した状態で雨風により或る程度固まってしまった場合、堆積物除去シートから除去しにくいほど付着する。このような堆積物除去シートに火山灰堆積物が大量に付着した状態のままこの火山灰堆積物に液体の脱臭剤を全体に振りかけて再利用することも可能である。例えば、室外犬を飼っている場合にその室外犬の糞尿による異臭発生防止シートとして適当な場所に置いて再利用しても良く、そのような堆積物除去シートをもう少し小さく分割して室内に飼っている犬や猫の糞尿による異臭防止シートとして室内のリビングの犬や猫の用足しするエリアにおいてもいても良い。
【０１６１】
火山灰は上述したように一般的に多孔質からなる微小な軽石のようなものでできているため、このような脱臭剤を火山灰堆積物に振りかけることよって脱臭効果を持続させることができ、本来捨て去るべき火山灰の再利用を可能とする。即ち、人間が暮らす上においては全く不要であるものを、地球規模の環境異変から与えられた再資源として有効に利用することができる。
【０１６２】
なお、上述の第１及び第２の実施形態とは異なり、例えば使用状況の変化によりかなりの量の黄砂や砂の混ざったような粉塵が飛来して車のフロントガラスやリアガラスに堆積する場合においても本発明は役に立つ。具体的には、このような黄砂や砂の混ざったような粉塵がフロントガラスやリアガラスに付着した場合、このような黄砂や粉塵を除去する際、ガラスに傷が付かないようにガラスから黄砂や粉塵を来とる前に拭き取る前にきれいに水洗いしなければならない。
【０１６３】
そのため、このような水洗いのできる場所までフロントウインドウに黄砂を付着させたまま車を移動させなければならない。このようなことを行わずいきなりワイパーを作動させてフロントウインドウの黄砂を除去しようとすると、黄砂事態に研磨物質が含まれてフロンドウインドウに傷をつけたり、ワイパーを傷つけてしまったりする場合がある。一旦このような傷が特にフロントガラスについてしまうと、運転中の視界に傷が入ってしまい、運転に集中することができなくなり安全運転上好ましくない。車の運転前にフロントウインドウに堆積物除去シートを黄砂ごと引き剥がしてしまうことによりこのような問題が起こることを一切なくすことができる。このようにして、上述した本発明における課題を一気に解決することが可能となる。
【０１６４】
続いて、本発明に係る堆積物除去用ロールシート具を第３の実施形態である農業用ビニールハウスに適用した場合について説明する。この場合、本発明に係る堆積物除去用ロールシート具は、対象物として支柱やフレームとビニールでできた農業用ビニールハウスに適用するようになっている。
【０１６５】
この第３の実施形態において農業用ビニールハウスの屋根部に相当するビニールの部分に本発明に係る堆積物除去用ロールシート具の堆積物除去シートを農業用ビニールハウスの屋根部全体を被せる。この堆積物除去シートを農業用ビニールハウスの屋根部全体に被せる方法は、上述した家の屋根や屋根に設置した太陽光発電パネルに本発明に係る堆積物除去シートを被せるやり方と同様であるので、詳細な説明をここでは省略する。
【０１６６】
この第３の実施形態によると、農業用ビニールハウスの屋根に雪が大量に積もって堆積する前に堆積物除去用ロールシート具を農業用ビニールハウスの屋根から逐次雪ごと剥がすことで農業用ビニールハウスの屋根部に過大な重みが加わることがない。これによって農業用ビニールハウスの屋根部のビニールが破れたり農業用ビニールハウスを構成する支柱や屋根部のフレームが過大な応力により破損して農業用ビニールハウスが崩壊したりすることがない。これによって、農業用ビニールハウス内で栽培している作物に損害を生じさせずに済み、その季節に出荷すべき作物が出荷できないという最悪の事態を回避することができる。
【０１６７】
また、活火山による噴火や水蒸気爆発の影響を受ける地域においても、ビニールハウスを構成する屋根や周囲のビニールが火山灰の熱によって溶けて農業用ビニールハウス自体の内部の温度の適切な管理を行うことができなくなってしまうような事態を防止すると共に、上述した積雪による農業用ビニールハウスの屋根への雪の堆積と同様に火山灰が堆積した後に雨が降って火山灰が水分を含んでそれ自身の堆積物の重みが増加して農業用ビニールハウスの屋根部のビニールの破損や農業用ビニールハウス自体の崩壊を招くことを確実に防止することができる。
【０１６８】
続いて、本発明に係る堆積物除去用ロールシート具を第４の実施形態である畑や家庭菜園の土壌の上面に被せる場合について説明する。本発明に係る堆積物除去用ロールシート具は、堆積物除去シートが、畑や家庭菜園の土壌の表面に被せるようになっている。
【０１６９】
この第４の実施形態は、天気予報等によって翌朝畑や家の家庭菜園の土壌に霜が一面に降り注いで堆積する可能性があることを知った場合に有用である。具体的にはこのような翌朝畑や家の家庭菜園の土壌に霜が一面に降り注いで堆積する可能性がある場合に、上述した第１乃至第３の実施形態と同様の要領で、本発明に係る堆積物除去用ロールシート具から堆積物除去シートを引き出してこれらの土壌の作物が生育している部分一面にこれを被せる。この際、堆積物除去シートを適当な列で並べて被せるようになるが、隣接する堆積物除去シート同士は一定の幅だけ重なり合うように被せる。これによって、例えば風が吹いてもこの重なり部分により堆積物除去シートがめくれ上がることなく、翌朝の冷気から作物を守ることができる。
【０１７０】
つまり、このような堆積物除去シートは、農家の畑や一戸建ての庭に設けた家庭菜園等において冬期の極端に気温が下がる明け方において有効に利用できる。具体的には天気予報等によって冬期の翌朝の気温が極端に低下することを知った場合に、予め簡単な作業で堆積物除去シートを農家の畑や家庭菜園の作物を全体的に覆うように敷き詰めておく。
【０１７１】
これによって、畑や家庭菜園の土壌に通常堆積する氷の柱からなる霜が直接作物に付着することなく、作物の生育を妨げることがない。そして、その日の午前中に気温が上がった場合堆積物除去シートをめくって霜と共にこれを除去することによって畑や家庭菜園で栽培している植物に再び十分な日光にさらすことができ、作物の生育をより促進させることができる。
【０１７２】
なお、農家の畑や家庭菜園に本発明に係る堆積物除去用ロールシート具の堆積物除去シートを被せる場合、最初にこれを被せる領域の一端に堆積物除去用ロールシート具自体をその土壌の上に置いておき、その状態で堆積物除去シートをこの堆積物除去用ロールシート具から引き出して引っ張りながら所定の位置までこの端部を持って行く。この際、堆積物用ロールシート具が土壌の上で動いてしまったりする場合は適当なアンカー等の固定具を用いてこれを土壌の上にしっかりと固定するようにしても良い。そして、堆積物除去シートを土壌の上の所定の領域に被せた後には、両方の端部や幅方向適当な位置にアンカーを挿し込んで保護すべき作物の上に被せるのが良い。
【０１７３】
なお、農家の畑や家の家庭菜園において栽培されている作物の上に霜よけ等の目的により一時的に堆積物除去シートを被せる場合の堆積物除去用シートの材質に関しては、上述の実施形態と異なることが好ましい点を追記しておく。この場合の材質は、上述の材質と同様にポリプロピレン（ＰＰ）でできているが、厚さが上述のように０．９５ｍｍから０．３ｍｍでなく、この代わりに０．０１ｍｍから０．０３ｍｍでできている。これは、栽培している作物に霜が付着しないようにすると共に、作物自体とシートで覆われた外側と外気との空気の入替えを容易に行うようにして作物に悪影響を与えないようにするためである。
【０１７４】
この実施形態においては、車、家の屋根や屋根に設置した太陽光発電パネル、農業用ビニールハウス、畑や家庭菜園で栽培している作物の周囲の土壌に堆積物除去シートを被せる際に、この被せる領域の幅方向一方の端部から他方の端部まで順番に並べて被せていくのが良い。この際、隣接する堆積物除去シート同士が或る程度の幅で重なり合うようにするのが良い。これによって、隣接する堆積物除去シート同士が密着してこの間に隙間が生じることがなくなり、例え嵐や台風の日であっても雨がシート内側に入り込むことがない。
【０１７５】
また、例え風が強い日であってもこの部分からや風が入り込んでシート自体がめくれあがったり、飛んでしまったりすることがない。
【０１７６】
更に、上述した農家の畑や家の家庭菜園において栽培されている作物を堆積物除去シートで覆う際に、このシートを所定間隔隔てて適当な場所において土壌にアンカーで直接固定しておくのが良い。これによって、一旦覆った堆積物除去シートが風にあおられて、捲り上がったり飛んでしまったりするのを効果的に防止できる。
【０１７７】
なお、農家の畑や家庭菜園で栽培している作物を霜などの堆積物から保護する場合、上述のように作物に直接被せることなく、土壌の作物とこれに被せる堆積物除去シートとの間に一定の空間を確保することが必要の場合、このような空間を確保するための折り曲げ可能な針金等の細いフレームを適当に土壌に差し込み、このフレームの上に堆積物除去シートを被せるようにしても良い。
【０１７８】
なお、上述した各実施形態において使用した本発明に係る堆積物除去用ロールシート具の例えばロール体収容部に、或る程度の重量を有する固定用の重りを装着できるようにすることも考えられる。また、ロール体収容部のベース板の両端をそれぞれ突出させてこの部分に堆積物除去シートを被せる対象物である車やその周囲の地面、屋根に設けた太陽光発電パネル自体やその周囲の屋根の部分、屋根自体、農業用ビニールハウス自体やその周囲の地面、畑や家庭菜園の土壌にこれを固定するためのアンカー用通し穴を設けても良く、固定用フック、固定用フックランプを既に取り付けておくか、後付けで取付け可能にするようにしても良い。このようにすることによって、上述した堆積物除去シートを対象物に被せる作業を１人で簡単に行うことができ、作業性が向上すると共に作業の際に人手を借りる必要がなくなる。
【０１７９】
即ち、車に堆積物除去用シートを被せる場合や、家の屋根全体に堆積物除去シートを被せる場合や家の屋根に設置した太陽光発電パネルの受光面に堆積物除去用シートを被せる場合、農業用ビニールハウスのビニールでできたルーフの部分に堆積物除去シートを被せる場合、農家の畑や家庭用菜園において作物を栽培している領域を堆積物除去シートで覆う全ての作業に関して人手を借りず１人ででき、作業効率が格段に上昇する。
【０１８０】
なお、上述の実施形態およびその変形例は、あくまで本発明の一例を示したものに過ぎず、本発明の範囲内であれば材質、寸法、大きさ等の様々な変更は可能であることは言うまでもない。従って、例えば本発明に係る堆積物除去用ロールシート具にはこれから引き出した堆積物除去シートを切断する切断機構が設けられていたが、必ずしもこのような切断機構を設ける必要はなく、使用者が堆積物除去用ロールシート具から堆積物除去シートを適当な長さだけ引き出した後にカッター等でこれを切断しても良い。
【０１８１】
以上説明したように、本発明に係る堆積物除去用ロールシート具を用いることで、対象物に堆積物が堆積してしまっても、堆積物除去シートを対象物から引き離すことによって、対象物の表面を傷めることなくそのまま簡単に堆積物を対象物から全て迅速かつ確実に除去することができる。
【０１８２】
また、使用者が１人で持ち運び可能な大きさからなるので、携帯性に優れかつ何時どこで分からない非常事態に備えて車のトランクの片隅や家屋内の空きスペース等僅かな広さの保管場所で保管しておくことができる。
【０１８３】
また、ロール体収容部を備えることで、堆積物除去シートを引き出して対象物に被せる際に、ロール体収容部を対象物の被せる領域の一端に置くか固定しておき、で堆積物除去シートを対象物に被せる領域の他端まで更に引き出してから被せる簡単な作業を行うだけで済むので、人手を必要とすることなく１人だけでこの作業を素早くかつ簡単に行うことができる。
【０１８４】
また、本発明に係る堆積物除去用ロールシート具によると、対象物の大きさに応じて必要最低限の堆積物除去シートを対象物に被せて堆積物から対象物を保護できるので、堆積物除去シートを無駄なく使用することができる。
【０１８５】
また、必要な大きさの堆積物除去シートをロール体収容部から引き出して素早く切断することができるので、火山灰が降り注ぐ直前に堆積物除去シートを対象物に短時間で覆い被せることができる。
【０１８６】
また、本発明に係る堆積物除去用ロールシート具によると、降り積もった雪、堆積した火山灰、堆積した黄砂、堆積した粉塵の何れかからなる堆積物において特にこの問題の発生を効果的に防ぐことができる。
【０１８７】
また、本発明に係る堆積物除去用ロールシート具を用いることで、車のボンネット、ルーフパネル、トランクリッドに堆積した堆積物を除去する時に堆積物除去シートごと簡単かつ迅速に除去することができるので、堆積物の除去時にこれらのパネルの表面に傷を付けずに済む。同様にフロントガラスやリアガラスに堆積物が堆積してもこれらのガラス表面に傷を付けることなく堆積物を容易に除去することができる。
【０１８８】
また、本発明に係る堆積物除去用ロールシート具を用いることで、太陽光発電パネルの受光面を堆積物除去シートで全面的に覆って保護することができる。その結果、この上に堆積物が堆積しても、堆積物除去シートを剥がすことで堆積物を全て簡単かつ迅速に除去することができ、太陽光発電パネルの表面を確実に保護する。これによって、設置に非常にコストがかかる太陽光発電パネルの表面を傷めることなく、家屋の所有者に損害を与えずに済む。
【０１８９】
また、多量の堆積物が太陽光発電パネルの表面に付着する前に堆積物除去シートを適宜剥がして堆積物を逐次除去することができるので、堆積物が太陽光発電パネルの表面に大量に堆積して太陽光発電パネルの表面に堆積物の重さが直接加わるのを防止する。これによって、太陽光発電パネルの屋根への支持部に過大な応力が作用することなく、この支持部が破損して太陽光発電パネルが屋根から滑り落ちてしまうような事態を招かないようにする。
【０１９０】
また、本発明に係る堆積物除去用ロールシート具を用いることで、農業用ビニールハウスの屋根に雪が大量に積もって堆積する前に堆積物除去用ロールシート具を農業用ビニールハウスの屋根から雪と共に逐次引き剥がすことで、農業用ビニールハウスの屋根部に過大な重みが加わることがない。これによって、農業用ビニールハウスの屋根部のビニールが破れたり農業用ビニールハウスを構成する支柱や屋根部のフレームが過大な応力により破損して農業用ビニールハウスが崩壊したりすることがない。その結果、農業用ビニールハウス内で栽培している作物に損害を生じさせずに済み、その季節に出荷すべき作物が出荷できないという最悪の事態を回避することができる。
【０１９１】
また、活火山による噴火や水蒸気爆発の影響を受ける地域においても、ビニールハウスを構成するビニールが火山灰の熱によって溶けて農業用ビニールハウス自体の内部の温度の適切な管理を行うことができなくなってしまうような事態を防止すると共に、上述した積雪による農業用ビニールハウスの屋根への雪の堆積と同様に火山灰が堆積した後に雨が降って火山灰が水分を含んでそれ自身の堆積物の重みが増加して農業用ビニールハウスの屋根部のビニールの破損や農業用ビニールハウス自体の崩壊を招くことを確実に防止することができる。
【０１９２】
また、本発明に係る堆積物除去用ロールシート具を用いることで、堆積物除去シートを農家の畑や一戸建ての庭に設けた家庭菜園等において冬期の極端に気温が下がる明け方において有効に利用できる。具体的には天気予報等によって冬期の翌朝の気温が極端に低下することを知った場合に、堆積物除去シートを農家の畑や家庭菜園の作物を予め簡単な作業で全体的に覆うように被せておくことができる。
【０１９３】
これによって、畑や家庭菜園の土壌に通常堆積する氷の柱からなる霜が直接作物に付着することなく、作物の生育を妨げることがない。そして、その日の午前中に気温が上がった場合堆積物除去シートをめくって霜と共にこれを除去することによって畑や家庭菜園で栽培している植物に再び十分な日光にさらすことができ、作物の生育をより促進させることができる。
【０１９４】
また、耐熱性に優れた樹脂材でできた本発明に係る堆積物除去用ロールシート具を用いることで、火山灰が噴火直後でまだ熱を有している場合であっても、この堆積物除去シートによって保護する対象物の表面に熱による悪影響を与えることが無い。
【０１９５】
また、本発明に係る堆積物除去用ロールシート具において、堆積物除去用ロールシート具が、対象物に取り付けて固定可能とする取り付け部が備わっていても良い。本発明に係る堆積物除去用ロールシート具を対象物にそのまま取り付けることで、例えば太陽光発電パネルにロール体収容部自体を必要な個数だけ取り付けて、火山灰の堆積量が多くならない頻度で堆積物除去シートを新しい堆積物除去シートに頻繁に交換することができる。これによって、太陽光発電パネルに加わる雪や火山灰等の堆積物の総重量を常に減らすことができて、太陽光発電パネルを屋根に設置する支持部にその破損につながる好ましくない大きな負荷を与えなくて済む。
【０１９６】
このような固定部を有することで例えば、堆積物除去シートをいくつか用意し、太陽光発電パネルに堆積物除去シートを並べた状態で堆積物除去シートを巻き解して太陽光発電パネル表面を密着させた状態で被せ、或る程度火山灰が太陽光発電パネルを覆う堆積物除去シート上に堆積した時点で堆積物除去シートを除去し、新しい堆積物除去シートをロール体収容部から引き出して太陽光発電パネルに密着状態を保ちながら被せるようにする。
【０１９７】
このような方法で、堆積物除去シートの交換を頻繁に行うことによって太陽光発電パネルに火山灰が多量に堆積してしまうのを防止する。これによって、太陽光発電パネルの受光面全体に亘って大量に堆積した火山灰の重量に伴って太陽光発電パネルの支持部に過大な応力がかかり、この支持部が破損して太陽光発電パネル自体が屋根から落下してしまうような最悪の事態を防止することができる。特に火山灰堆積物に気候の悪化に伴う雨水が滲み込んで火山灰堆積物がスラリー状のコンクリートやモルタル状に固化していくので、火山灰堆積物があまり増加しないうちに堆積物除去シートを頻繁に交換するのが、交換作業のやり易さの上でも利点が大きい。
【０１９８】
このような使用方法は、車に堆積物除去シートを密着させながら覆う場合においても同様である。即ち、このような使用方法とすることで車のボンネットやルーフパネル、トランクリッド等の実際には比較的薄い板厚でできたパネル上に多量の火山灰が堆積することで、その重みによってこれらのパネルが凹んでしまうのを防止する。
【０１９９】
また、車に堆積物除去シートを適用した場合であっても、その堆積物除去シートを頻繁に簡単な作業で取り換えることができるので、ボンネットやルーフパネル、トランクリッドに雪や火山灰が多量に堆積してその重みでこれらのパネル表面が凹んでしまうのを防止できる。
【０２００】
なお、例えば屋根の上に堆積物除去シートを被せる場合、以下のようなやり方も考えられる。具体的には、屋根の上側部分に堆積物除去用ロールシート具を並列に並べてそれぞれ屋根に固定する。そして、それぞれの堆積物除去用ロールシート具から堆積物除去シートを引き出して屋根の下方部分までこの堆積物除去シートでそれぞれ覆う。例えば屋根の棟の長さが１０ｍの場合、幅が約１ｍの堆積物除去用ロールシート具を１０本並べて、それぞれの堆積物除去用ロールシート具から堆積物除去シートを引き出す。これによって、屋根の上に１０枚の堆積物除去シートを並べて被せることができる。このようにして、屋根の上を並列した１０枚の堆積物除去シートで完全に覆うことが可能になる。この場合、堆積物除去用ロールシート具を屋根の棟の上に固定したままとなる。
【０２０１】
これによって、雪が多少降り積もったり、火山灰が多少堆積したりした段階で、既に屋根の上に並べて被せた堆積物除去シートを剥がしてこの上に若干堆積した雪や火山灰を堆積物除去シートに挟み込みながら除去し、次いで、屋根の上に固定したままの堆積物除去用ロールシート具のそれぞれから堆積物除去シートを新しいものに取り換えることが可能となる。このようにして、屋根の上に雪や火山灰がさほど堆積することのない段階で常にこれらを除去することができる。
【０２０２】
また、上述した実施形態では、堆積物除去用ロールシート具を用いて車や家の屋根に降り積もった雪の堆積物を取り除く場合について説明したが、この堆積物除去用ロールシート具を例えば玄関のドアの近くに固定して、雪が降る直前に堆積物除去シートを引き出して玄関の門のあたりまで、又は、玄関のドアから玄関先まで予め伸ばしておき、アンカーやガムテープ等で固定しておいても良い。
【０２０３】
本発明に係る堆積物除去用ロールシート具をこのように利用することで、その後に雪が降り積もって玄関先にかなりの雪が堆積した場合であっても、この堆積物除去シートを上述したように雪を挟みながらロール状に巻くことで、玄関先に敷いておいた堆積物除去シートが雪を巻き込みながらいわゆる鳴門状に変形したロール体となる。そして、これを横にずらすだけで、玄関の扉から玄関先まで雪に触れずに歩いていくことができる。これによって朝の通勤や通学の際に非常に効果があるだけでなく、単に玄関先のポストに新聞を取りに行く場合だけであっても足を全く濡らすことなく取りに行くことができる。
【０２０４】
なお、上述の説明では、本発明に係る堆積物除去用ロールシート具の堆積物除去シートを玄関のドアから門までの間に雪が降る前に敷いて、雪が降った後この堆積物除去シートを巻いて除去するという使い方について説明したが、この堆積物は必ずしも雪でなく火山灰であっても、適用可能である。
【０２０５】
具体的には、活火山の周辺にある観光地のお土産屋や飲食店などの店舗の入口に、本発明に係る堆積物除去用ロールシート具を準備しておいて、火山が噴火しそうな情報を得られたら又は実際に噴火し始めたら直ぐに、本発明に係る堆積物除去用ロールシート具を取り出し、これを用いて店の前の入口や通路、階段などの観光客が出入りするような場所に予め堆積物除去シートを敷いておく。そして、火山が噴火や水蒸気爆発を起こして、火山灰が降り注いで堆積した時に、この堆積物除去シートを上述したようにロール状に巻いて、邪魔にならないところに移動させることによって、店の前の入口や通路、階段などの観光客が出入りするような場所に堆積した火山灰を箒等を用いてわざわざ手間を掛けて除去する必要はなく、観光客のお店への出入りの通り道（通路）を素早く確保することができる。
【０２０６】
なお、本発明において切断部を堆積物除去用ロールシート具が有さない形態であっても、使用者が手でこれを簡単に切ることによって本発明の作用を発揮することができる。これによって、堆積物除去用ロールシート具が切断部を備えなくて済むので、堆積物除去用ロールシート具自体の大きさの小型化を図ることができると共に、コストの低減を達成できる。
【０２０７】
上述した堆積物除去用ロールシート具及びこれに備わる堆積物除去用シートの寸法、材質、厚み、長さ、幅等については本発明の効果を発揮する範囲内であれば適宜変更可能である。例えば、本発明に係る堆積物除去ロールシート具に利用する堆積物除去シートの材質は、ポリプロピレン（ＰＰ）に限らない。即ち、農家の畑や家庭菜園の作物を一時的に覆って保護する使用環境など、シート自体の耐久性や耐熱性をそれ程要求されない場合であれば、ポリエチレン（ＰＥ）などを代用しても本発明の効果を発揮できることは言うまでもない。
【符号の説明】
【０２０８】
１，２    堆積物除去用ロールシート具
１０    ロール体
１１    芯ロール
２０，３０    ロール体収容部
５０    車
９０    屋根
９１    太陽光発電パネル
１００（１０１，１０２，１０３，・・・）    堆積物除去シート
１５０    堆積物除去シート
１５０ｓ    接着層
２１０    ベース板
２１３    シート引出し用開口部
２２０    ロール体支持部
２２１    支柱
２２２    支持棒
２３０    カバー
２３１    下側カバー
２３２    上側カバー
２３３    ヒンジ
２３４    カバー閉じ機構
２４０    切断部
２４１    基端部
２４２    先端部
３１０    ベース板
３１１    突出部
３１２    カッター受け
４００    カッタースライドガイド部
４１１    スリット
４１２    スライドカッター
８００    雪
９００    堆積物
【図１】
2017056807.tif 000003
【図２】
2017056807.tif 000004
【図３】
2017056807.tif 000005
【図４】
2017056807.tif 000006
【図５】
2017056807.tif 000007
【図６】
2017056807.tif 000008
【図７】
2017056807.tif 000009
【図８】
2017056807.tif 000010
【図９】
2017056807.tif 000011
【図１０】
2017056807.tif 000012
【図１１】
2017056807.tif 000013
【図１２】
2017056807.tif 000014
【図１３】
2017056807.tif 000015